(57)【要約】  アグリゲートされたＬＴＥ及びＷＬＡＮリンクを通じた、基地局からマルチプルなＵＥへのダウンリンク送信を管理するための技法が提供される。基地局は、スケジューリングインスタンスの間に、ダウンリンクデータを送信するためのリソースを共同で割り当て得る。リソースの割り当ては、リンクが共同で考慮されるときには、チャネルの状態及びシステムスループットに基づく優先順位付けを含み得る。共同リソース割り当てにしたがって、基地局は、アグリゲーティング層においてダウンリンク送信のためのパケットを構築し得、アグリゲーティング層は、例えば、それぞれのリンクと関連するメディアアクセス制御（ＭＡＣ）要素に結合され得る。その後、基地局は、共同リソース割り当てに基づいて、少なくともＵＥのサブセットにパケットを送信し得る。
2016521071.tif 000002
【特許請求の範囲】
【請求項１】
ワイヤレス通信の方法であって、
基地局によって、第１の送信間隔において、ロングタームエボリューション（ＬＴＥ）リンク及びワイヤレスローカルエリアネットワーク（ＷＬＡＮ）リンクのうちの１つまたは複数でのダウンリンクデータ送信について、複数のユーザ機器（ＵＥ）を決定することと、
前記ダウンリンク（ＤＬ）送信のためのデータを決定することと、
前記ＵＥが前記ＬＴＥリンク及び前記ＷＬＡＮリンクのうちの１つまたは複数でサーブされるときに、前記第１の送信間隔において前記データを送信するためのリソースを共同で割り当てることであって、
リンク毎に、ＬＴＥリンクおよびＷＬＡＮリンクのそれぞれにおける前記ＤＬ送信のための前記データの複数の部分に優先順位付けすることと、
前記共同で割り当てられたリソースに基づいて前記ＤＬ送信のためのパケットを要求することとを含み、前記パケットは、前記ＬＴＥリンク及び前記ＷＬＡＮリンクについて前記基地局のアグリゲーティング層から要求される、リソースを共同で割り当てることと、
前記第１の送信間隔の間に、少なくとも前記ＵＥのサブセットに、前記アグリゲーティング層から受信されたパケットを送信することと、
を備える方法。
【請求項２】
前記ＷＬＡＮリンクにリソースを共同で割り当てることが、前記第１の送信間隔の前の、１つまたは複数のＷＬＡＮ送信バッファのフィルレベルに少なくとも部分的に基づく、請求項１に記載の方法。
【請求項３】
リソースを共同で割り当てることが、前記ＷＬＡＮリンクのチャネル品質に少なくとも部分的に基づく、請求項１に記載の方法。
【請求項４】
ＷＬＡＮインターフェースデータレート又はＷＬＡＮインターフェースエラーレートに従って、前記ＷＬＡＮリンクのチャネル品質を決定することをさらに備える、請求項３に記載の方法。
【請求項５】
リソースを共同で割り当てることが、前記ＷＬＡＮリンクに関連する送信遅延及び前記ＬＴＥリンクに関連する送信遅延に少なくとも部分的に基づく、請求項１に記載の方法。
【請求項６】
前記複数のＵＥの各々が、少なくとも１つのＬＴＥ論理チャネルに関連付けられ、前記方法は、
前記複数のＵＥの各々によって実装される各ＬＴＥ論理チャネルの優先順位を決定することと、
前記決定された優先順位によって定められる順序で、前記ＵＥの各々によって実装される前記ＬＴＥ論理チャネルの各々について、１つまたは複数のＷＬＡＮ送信バッファに追加するべきダウンリンクデータの量を決定することと、
をさらに備える、請求項１に記載の方法。
【請求項７】
前記送信することは、異なるサービス品質（ＱｏＳ）レベルに関連する１つまたは複数のＷＬＡＮ送信バッファに、前記パケットを追加することを含む、請求項１に記載の方法。
【請求項８】
前記複数のＵＥの各々によって実装される各ＬＴＥ論理チャネルについて、ＷＬＡＮの優先順位を決定することと、
各ＬＴＥ論理チャネルに関する、前記決定されたＷＬＡＮの優先順位に基づいて、前記複数のＵＥの各々によって実装される前記ＬＴＥ論理チャネルの順序付けを備える、ＷＬＡＮ優先順位リストを生成することと、をさらに備える、請求項６に記載の方法。
【請求項９】
前記ＷＬＡＮリンクについてのスケジューリングインスタンスが、前記ＬＴＥリンクについてのスケジューリングインスタンスと一致していると決定することと、
前記複数のＵＥの各々によって実装される各ＬＴＥ論理チャネルについてのＬＴＥ優先順位を決定することと、
各ＬＴＥ論理チャネルのために決定された前記ＬＴＥ優先順位に基づいて、前記複数のＵＥの各々によって実装される前記ＬＴＥ論理チャネルの順序付けを備えるＬＴＥ優先順位リストを生成することと、
前記ＬＴＥ優先順位リストと前記ＷＬＡＮ優先順位リストとを組み合わせることと、
前記ＬＴＥ優先順位リストと前記ＷＬＡＮ優先順位リストとの前記組み合わせに基づいた順序で、前記ＬＴＥリンク、及び前記ＷＬＡＮリンクのうちの前記１つまたは複数の間に、ＤＬ送信のための前記データを割り当てることとをさらに備える、請求項８に記載の方法。
【請求項１０】
前記決定された優先順位によって定められる前記順序に従って、各ＬＴＥ論理チャネルに関連する前記１つまたは複数のＷＬＡＮ送信バッファに入れるべき、そのＬＴＥ論理チャネルからのダウンリンクデータの仮の量を決定することをさらに備え、ダウンリンクデータの前記仮の量は、前記ＬＴＥ論理チャネルに関連する前記１つまたは複数のＷＬＡＮ送信バッファについての最大推定バッファサイズと、前記ＬＴＥ論理チャネルのための利用可能なダウンリンクデータの量とに少なくとも部分的に基づく、請求項６に記載の方法。
【請求項１１】
前記第１の送信間隔内の残りの量の時間と、前記１つまたは複数のＷＬＡＮ送信バッファから前記ＬＴＥ論理チャネルを実装する前記ＵＥへの推定されるデータ送信レートとに少なくとも部分的に基づいて、前記ＬＴＥ論理チャネルに関連する前記１つまたは複数のＷＬＡＮ送信バッファについての前記最大推定バッファサイズを決定することをさらに備える、請求項１０に記載の方法。
【請求項１２】
前記第１の送信間隔の間に、前記ＬＴＥ論理チャネル及び前記ＬＴＥ論理チャネルを実装する前記ＵＥについての前記ＬＴＥリンク及び前記ＷＬＡＮリンクのうちの前記１つまたは複数の間の優先順位付けに基づいて、前記ＬＴＥ論理チャネルから前記ＬＴＥ論理チャネルに関連する前記１つまたは複数のＷＬＡＮ送信バッファに前記仮の量のダウンリンクデータを追加するかどうかを決定することをさらに備える、請求項１０に記載の方法。
【請求項１３】
前記決定された仮の量に従って、前記ＬＴＥ論理チャネルに関連する、前記１つまたは複数のＷＬＡＮ送信バッファについての利用可能なデータの総量を送信することに関する、推定される全遅延と、前記ＬＴＥリンクによる、前記ＬＴＥ論理チャネルと関連する前記１つまたは複数のＷＬＡＮ送信バッファについての利用可能なデータの総量を送信することに関する、推定される全遅延との差に基づいて、前記第１の送信間隔の間に前記ＬＴＥ論理チャネルのための前記ＷＬＡＮリンクと前記ＬＴＥリンクとの間の前記優先順位付けを決定することをさらに備える、請求項１２に記載の方法。
【請求項１４】
前記ＬＴＥ論理チャネルに関連する前記１つまたは複数のＷＬＡＮ送信バッファに前記仮の量のダウンリンクデータを追加するという決定に応答して、前記第１の送信間隔の間、ダウンリンクＬＴＥリソースが、前記ＬＴＥ論理チャネルを実装する前記ＵＥについて現在スケジュールされているかどうかを決定することと、
ダウンリンクＬＴＥリソースが、前記ＵＥについて現在スケジュールされているという前記決定に基づいて、仮のＵＥダウンリンクリソース割り当てを更新することとをさらに備える、請求項１２に記載の方法。
【請求項１５】
前記ＵＥの各々によって実装される前記ＬＴＥ論理チャネルの各々について、前記ＷＬＡＮ送信バッファのうちの前記１つまたは複数に、前記決定された量の前記ダウンリンクデータを追加することと、
前記ＷＬＡＮ送信バッファのうちの前記１つまたは複数に前記決定された量の前記ダウンリンクデータを追加した後に、前記ＷＬＡＮ送信バッファのうちの前記１つまたは複数におけるデータの現在の量に関連するリソースの推定される量が、しきい値未満であると決定することと、
前記決定された優先順位によって定められる順序で、前記ＵＥの各々によって実装される前記ＬＴＥ論理チャネルの各々について、前記ＷＬＡＮ送信バッファのうちの１つまたは複数に追加すべきダウンリンクデータの新たな量を決定することと、をさらに備える、請求項６に記載の方法。
【請求項１６】
基地局であって、
ロングタームエボリューション（ＬＴＥ）リンクを通じて通信するように構成された第１の無線機と、
ワイヤレスローカルエリアネットワーク（ＷＬＡＮ）リンクを通じて通信するように構成された第２の無線機と、
前記第１の無線機及び前記第２の無線機を制御するように動作可能なスケジューラモジュールを備える少なくとも１つのプロセッサであって、前記スケジューラモジュールが、
ダウンリンク（ＤＬ）送信のためのデータを決定することと、
複数のユーザ機器（ＵＥ）が前記ＬＴＥリンク及び前記ＷＬＡＮリンクで前記基地局によってサーブされるときに、第１の送信間隔において前記データを送信するためのリソースを共同で割り当てることであって、
リンク毎にＬＴＥリンクおよびＷＬＡＮリンクのそれぞれにおける前記ＤＬ送信のための前記データの複数の部分に優先順位付けすることと、
前記共同で割り当てられたリソースに基づいて前記ＤＬ送信のためのパケットを要求することと、ここにおいて、前記パケットは、前記ＬＴＥリンク及び前記ＷＬＡＮリンクにおける送信のために前記基地局のアグリゲーティング層で生成され、
前記ＬＴＥリンクおよび前記ＷＬＡＮリンクのそれぞれにおける送信のために、前記第１の無線機及び前記第２の無線機に前記アグリゲーティング層によって生成された前記パケットを送ることとを含む、リソースを共同で割り当てることと、
を行うように構成された、プロセッサと、
前記少なくとも１つのプロセッサに結合されたメモリと、
を備える基地局。
【請求項１７】
前記ＷＬＡＮリンクにおいてリソースを共同で割り当てることが、前記第１の送信間隔の前の１つまたは複数のＷＬＡＮ送信バッファのフィルレベルに少なくとも部分的に基づく、請求項１６に記載の基地局。
【請求項１８】
リソースを共同で割り当てることが、前記ＷＬＡＮリンクのチャネル品質に少なくとも部分的に基づく、請求項１６に記載の基地局。
【請求項１９】
前記ＵＥの各々が少なくとも１つのＬＴＥ論理チャネルに関連付けられ、前記スケジューラモジュールが、
前記複数のＵＥの各々によって実装される各ＬＴＥ論理チャネルの優先順位を決定することと、
前記決定された優先順位によって定められる順序で、前記ＵＥの各々によって実装される前記ＬＴＥ論理チャネルの各々について、１つまたは複数のＷＬＡＮ送信バッファに追加するべきダウンリンクデータの量を決定することと、
を行うようにさらに構成される、請求項１６に記載の基地局。
【請求項２０】
前記送ることは、異なるサービス品質（ＱｏＳ）レベルに関連する１つまたは複数のＷＬＡＮ送信バッファに前記パケットを追加することを備える、請求項１６に記載の基地局。
【請求項２１】
前記スケジューラモジュールは、
前記複数のＵＥの各々によって実装される各ＬＴＥ論理チャネルについてＷＬＡＮの優先順位を決定することと、
各ＬＴＥ論理チャネルに関する、前記決定されたＷＬＡＮの優先順位に基づいて、前記複数のＵＥの各々によって実装される前記ＬＴＥ論理チャネルの順序付けを備える、ＷＬＡＮ優先順位リストを生成することと、を行うようにさらに構成される、請求項１９に記載の基地局。
【請求項２２】
前記スケジューラモジュールは、
前記ＷＬＡＮリンクについてのスケジューリングインスタンスが、前記ＬＴＥリンクについてのスケジューリングインスタンスと一致していると決定することと、
前記複数のＵＥの各々によって実装される各ＬＴＥ論理チャネルについてのＬＴＥ優先順位を決定することと、
各ＬＴＥ論理チャネルに割り当てられた前記ＬＴＥ優先順位に従って、前記複数のＵＥの各々によって実装される前記ＬＴＥ論理チャネルの順序付けを備えるＬＴＥ優先順位リストを生成することと、
前記ＬＴＥ優先順位リストと前記ＷＬＡＮ優先順位リストとを組み合わせることと、
前記ＬＴＥ優先順位リストと前記ＷＬＡＮ優先順位リストとの前記組み合わせに基づく順序で、ＬＴＥリンク及び前記ＷＬＡＮリンクのうちの前記１つまたは複数の間に、ＤＬ送信のための前記データを割り当てることと、
を行うようにさらに構成される、請求項２１に記載の基地局。
【請求項２３】
前記スケジューラモジュールは、
前記決定された優先順位によって定められる前記順序に従って、各ＬＴＥ論理チャネルに関連する前記１つまたは複数のＷＬＡＮ送信バッファに入れるべき、そのＬＴＥ論理チャネルからのダウンリンクデータの仮の量を決定することを行うようにさらに構成され、ここにおいて、ダウンリンクデータの前記仮の量は、前記ＬＴＥ論理チャネルと関連する前記１つまたは複数のＷＬＡＮ送信バッファについての最大推定バッファサイズと、前記ＬＴＥ論理チャネルのための利用可能なダウンリンクデータの量とに少なくとも部分的に基づく、請求項１９に記載の基地局。
【請求項２４】
前記スケジューラモジュールは、
前記第１の送信間隔の間に、前記ＬＴＥ論理チャネル及び前記ＬＴＥ論理チャネルを実装する前記ＵＥについて、前記ＬＴＥリンクと前記ＷＬＡＮリンクとの間の優先順位付けに基づいて、前記ＬＴＥ論理チャネルから前記ＬＴＥ論理チャネルに関連する前記１つまたは複数のＷＬＡＮ送信バッファに前記仮の量のダウンリンクデータを追加するかどうかを決定することを行うようにさらに構成される、請求項２３に記載の基地局。
【請求項２５】
前記スケジューラモジュールは、
前記決定された仮の量に従って、前記ＬＴＥリンク及び前記ＷＬＡＮリンクのうちの１つまたは複数を通じた前記ＬＴＥ論理チャネルに関連する、前記１つまたは複数のＷＬＡＮ送信バッファについての利用可能なデータの総量を送信することに関する、推定される全遅延と、前記ＬＴＥリンクによる、前記ＬＴＥ論理チャネルに関連する、前記１つまたは複数のＷＬＡＮ送信バッファについての利用可能なデータの総量を送信することに関する、推定される全遅延との差に基づいて、前記第１の送信間隔の間に、前記ＬＴＥ論理チャネルについて、前記ＷＬＡＮリンクと前記ＬＴＥリンクとの間の前記優先順位付けを決定することを行うようにさらに構成される、請求項２４に記載の基地局。
【請求項２６】
前記スケジューラモジュールは、
前記ＬＴＥ論理チャネルに関連する前記１つまたは複数のＷＬＡＮ送信バッファに、前記仮の量のダウンリンクデータを追加するという決定に応答して、前記第１の送信間隔の間、ＤＬ  ＬＴＥリソースが前記ＬＴＥ論理チャネルを実装する前記ＵＥについて現在スケジュールされているかどうかを決定することと、
ダウンリンクＬＴＥリソースが前記ＵＥについて現在スケジュールされているという前記決定に基づいて、仮のＵＥダウンリンクリソース割り当てを更新することと、
を行うようにさらに構成される、請求項２４に記載の基地局。
【請求項２７】
ダウンリンク送信を管理する基地局装置であって、
基地局によって、第１の送信間隔において、ロングタームエボリューション（ＬＴＥ）リンク及びワイヤレスローカルエリアネットワーク（ＷＬＡＮ）リンクのうちの１つまたは複数におけるダウンリンクデータ送信について、複数のユーザ機器（ＵＥ）を決定する手段と、
前記ダウンリンク（ＤＬ）送信のためのデータを決定する手段と、
前記ＵＥが前記ＬＴＥリンク及び前記ＷＬＡＮリンクのうちの前記１つまたは複数でサーブされるときに、前記第１の送信間隔において前記データを送信するためにリソースを共同で割り当てる手段であって、
リンク毎に、ＬＴＥリンクおよびＷＬＡＮリンクのそれぞれにおける前記ＤＬ送信のための前記データの複数の部分に優先順位付けする手段と、
前記共同で割り当てられたリソースに基づいて前記ＤＬ送信のためのパケットを要求する手段であって、前記パケットが前記ＬＴＥ及びＷＬＡＮリンクについて前記基地局のアグリゲーティング層から要求される、要求するための手段とを含む、
リソースを共同で割り当てる手段と、
前記第１の送信間隔の間に、少なくとも前記ＵＥのサブセットに前記アグリゲーティング層からのパケットを送信する手段と、
を備える、基地局装置。
【請求項２８】
前記ＷＬＡＮリンクにおいてリソースを共同で割り当てることが、前記第１の送信間隔の前の、１つまたは複数のＷＬＡＮ送信バッファのフィルレベルに少なくとも部分的に基づく、請求項２７に記載の基地局装置。
【請求項２９】
前記送信する手段は、異なるサービス品質（ＱｏＳ）レベルに関連する１つまたは複数のＷＬＡＮ送信バッファに前記パケットを追加するように構成される、請求項２８に記載の基地局装置。
【請求項３０】
コンピュータ可読プログラムコードを記憶した非一時的コンピュータ可読媒体を備えるコンピュータプログラム製品であって、前記コンピュータ可読プログラムコードは、
少なくとも１つのプロセッサに、第１の送信間隔における、ロングタームエボリューション（ＬＴＥ）リンク及びワイヤレスローカルエリアネットワーク（ＷＬＡＮ）リンクのうちの１つまたは複数におけるダウンリンクデータ送信のために、複数のユーザ機器（ＵＥ）を決定させるように構成された、コンピュータ可読プログラムコードと、
前記少なくとも１つのプロセッサに、前記ダウンリンク（ＤＬ）送信のためのデータを決定させるように構成された、コンピュータ可読プログラムコードと、
前記ＵＥが前記ＬＴＥリンク及び前記ＷＬＡＮリンクのうちの前記１つまたは複数でサーブされるときに、前記第１の送信間隔において、前記データを送信するためのリソースを共同で割り当てるように構成されたコンピュータ可読プログラムコードであって、
リンク毎に、ＬＴＥリンクおよびＷＬＡＮリンクのそれぞれにおける前記ＤＬ送信のための前記データの複数の部分に優先順位付けするように構成されたコンピュータ可読プログラムコードと、
前記共同で割り当てられたリソースに基づく前記ＤＬ送信のためのパケットに関する要求を受信するように構成されたコンピュータ可読プログラムコードと、ここにおいて、前記パケットが、前記ＬＴＥリンク及び前記ＷＬＡＮリンクのために基地局のアグリゲーティング層から要求される、
を含む、リソースを共同で割り当てるように構成されたコンピュータ可読プログラムコードと、
前記少なくとも１つのプロセッサに、前記第１の送信間隔の間に、少なくとも前記ＵＥのサブセットに対して前記アグリゲーティング層から受信されたパケットを送信させるように構成されたコンピュータ可読プログラムコードと、
を備える、コンピュータプログラム製品。
【発明の詳細な説明】
【技術分野】
【０００１】
関連出願の相互参照
[0001]本特許出願は、２０１４年４月２８日に出願された、「ＬＴＥ−ＷＬＡＮ集中型ダウンリンクスケジューラ（LTE-WLAN Centralized Downlink Scheduler）」と題される、Damnjanovicらによる米国特許出願第１４／２６３，７３５号、及び２０１３年４月２９日に出願された「ＬＴＥ−ＷＬＡＮ集中型ダウンリンクスケジューラ（LTE-WLAN Centralized Downlink Scheduler）」と題される、Damnjanovicらによる米国特許仮出願第６１／８１７，１６５号に対する優先権を主張するものであり、これらのそれぞれは、本願の譲受人に譲渡される。
【０００２】
[0002]以下は、一般にワイヤレス通信に関し、より詳細には、異なる技術の同時使用に関する。ワイヤレス通信システムは、音声、ビデオ、パケットデータ、メッセージング、放送等の、様々なタイプの通信コンテンツを提供するために幅広く展開されている。これらのシステムは、利用可能なシステムリソース（例えば、時間、周波数、及び電力）を共有することにより、マルチプルなユーザとの通信をサポートすることができる、多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、及び直交周波数分割多元接続（ＯＦＤＭＡ）システムを含む。
【背景技術】
【０００３】
[0003]一般に、ワイヤレス多元接続通信システムは、いくつかの基地局を含み、それぞれの基地局は、マルチプルなモバイルデバイスのための通信を同時にサポートし得る。基地局は、ダウンストリームリンク及びアップストリームリンクにおいて、モバイルデバイスと通信し得る。いくつかのワイヤレスネットワークでは、ユーザ機器（ＵＥ）は、マルチプルなワイヤレス技術を同時にサポート可能であり得る。例えば、ＵＥは、ワイヤレスローカルエリアネットワーク（ＷＬＡＮ）リンク及びロングタームエボリューション（ＬＴＥ）リンクを通じて、データを同時に送信し得る。従来のシステムでは、これらのシステム用のアップリンクリソース及びダウンリンクリソースは、別個に制御される。
【発明の概要】
【０００４】
[0004]説明される特徴は、一般に、アグリゲートされたＬＴＥワイヤレスリンク及びＷＬＡＮワイヤレスリンクを通じた、基地局からマルチプルなＵＥへのダウンリンク送信を管理するための、１つまたは複数の改善されたシステム、方法、及び／又は装置に関する。基地局は、スケジューリングインスタンスの間に、ダウンリンクデータを送信するためのリソースを共同で割り当て得る。リソースの割り当ては、リンクが共同で考慮されるときには、チャネルの状態及びシステムスループットに基づいて優先順位付けすることを含み得る。共同リソース割り当てにしたがって、基地局は、アグリゲーティング層においてダウンリンク送信用のパケットを構築し得、アグリゲーティング層は、例えば、それぞれのリンクと関連するメディアアクセス制御（ＭＡＣ）層要素に結合され得る。その後、基地局は、共同リソース割り当てに基づき、少なくともＵＥのサブセットにパケットを送信し得る。このようにしてＬＴＥおよびＷＬＡＮリソースの利用は、よりバランスがとれたものとなり、データスループットの全体的な増加及びユーザエクスペリエンスの改善をもたらし得る。
【０００５】
[0005]第１の例示的な構成によれば、基地局においてダウンリンク送信を管理する方法は、送信間隔の間に、１つまたは複数のロングタームエボリューション（ＬＴＥ）リンク及びワイヤレスローカルエリアネットワーク（ＷＬＡＮ）リンクでデータがそれらへと送信され得る、複数のユーザ機器（ＵＥ）を決定することと、ダウンリンク（ＤＬ）送信のためのデータを決定することとを含み得る。この方法は、ＵＥがＬＴＥリンク及びＷＬＡＮリンクのうちの１つまたは複数でサーブされるときに、送信間隔の間にデータを送信するためのリソースを共同で割り当てることをさらに含み得る。一例によれば、リソースの共同割り当ては、リンク毎にＬＴＥリンク及びＷＬＡＮリンクでのＤＬ送信のためのデータの複数の部分に優先順位付けすることと、基地局のアグリゲーティング層から、共同で割り当てられたリソースに基づくＤＬ送信のためのパケットを要求することとを含み得る。この方法はまた、送信間隔の間に、少なくともＵＥのサブセットに、アグリゲーティング層から受信されたパケットを送信することを含み得る。
【０００６】
[0006]特定の例では、ＷＬＡＮリンクにおけるリソースの共同割り当ては、データがそれについてスケジュールされる送信間隔の前の１つまたは複数のＷＬＡＮ送信バッファのフィルレベルに少なくとも部分的に基づくか、又はＷＬＡＮリンクのチャネル品質に少なくとも部分的に基づき得る。リソースの共同割り当てはまた、ＷＬＡＮリンクに関連する送信遅延及びＬＴＥリンクに関連する送信遅延に少なくとも部分的に基づき得る。
【０００７】
[0007]いくつかの例によれば、この方法は、ＷＬＡＮインターフェースデータリンクレート又はＷＬＡＮインターフェースエラーレートに従って、ＷＬＡＮリンクのチャネル品質を決定することをさらに含み得る。さらに、特定の例では、複数のＵＥの各々が、少なくとも１つのＬＴＥ論理チャネルと関連付けられ得、基地局は、複数のＵＥの各々によって実装される各ＬＴＥ論理チャネルの優先順位を決定し得る。基地局はさらに、決定された優先順位によって定められる順序で、ＵＥの各々によって実装されるＬＴＥ論理チャネルの各々について、１つまたは複数のＷＬＡＮ送信バッファに追加すべきダウンリンクデータの量を決定し得る。１つまたは複数のＷＬＡＮ送信バッファは、異なるサービス品質（ＱｏＳ）レベルに関連し得る。
【０００８】
[0008]特定の例では、複数のＵＥのそれぞれによって実装される各ＬＴＥ論理チャネルについてのＷＬＡＮの優先順位が決定され得、複数のＵＥのそれぞれによって実装されるＬＴＥ論理チャネルの順序付けを含むＷＬＡＮ優先順位リストが、各ＬＴＥ論理チャネルに割り当てられたＷＬＡＮの優先順位に従って生成され得る。
【０００９】
[0009]特定の例では、基地局は、ＷＬＡＮリンクについてのスケジューリングインスタンスがＬＴＥリンクについてのスケジューリングインスタンスと一致していると決定し、複数のＵＥのそれぞれによって実装される各ＬＴＥ論理チャネルについてのＬＴＥ優先順位を決定し、各ＬＴＥ論理チャネルに割り当てられたＬＴＥ優先順位に従って複数のＵＥのそれぞれによって実装されるＬＴＥ論理チャネルの順序付けを含むＬＴＥ優先順位リストを生成し、ＬＴＥ優先順位リストをＷＬＡＮ優先順位リストと組み合わせ、ＬＴＥ優先順位リストとＷＬＡＮ優先順位リストとの組み合わせに基づく順序で、ＬＴＥリンクとＷＬＡＮリンクとの間にＤＬ送信のためのデータを割り当て得る。
【００１０】
[0010]特定の例では、そのＬＴＥ論理チャネルに関連する１つまたは複数のＷＬＡＮ送信バッファに入れるべきダウンリンクデータの仮の量が、決定された優先順位によって定められる順序に従って決定され得る。データの仮の量は、そのＬＴＥ論理チャネルに関連する１つまたは複数のＷＬＡＮ送信バッファについての最大推定バッファサイズと、そのＬＴＥ論理チャネルのための利用可能なダウンリンクデータの量とに、少なくとも部分的に基づき得る。
【００１１】
[0011]そのＬＴＥ論理チャネルに関連する１つまたは複数のＷＬＡＮ送信バッファについての最大推定バッファサイズは、送信間隔内の残りの時間量と、１つまたは複数のＷＬＡＮ送信バッファからＬＴＥ論理チャネルを実装するＵＥへの推定されるデータ送信レートとに、少なくとも部分的に基づいて決定され得る。
【００１２】
[0012]特定の例では、仮の量のダウンリンクデータを、そのＬＴＥ論理チャネルから、そのＬＴＥ論理チャネルに関連する１つまたは複数のＷＬＡＮ送信バッファに追加すべきかどうかについて、決定がなされ得る。決定は、送信間隔の間に、そのＬＴＥ論理チャネルを実装するＵＥ及びそのＬＴＥ論理チャネルに関する、ＬＴＥネットワークとＷＬＡＮとの間の優先順位付けに基づき得る。
【００１３】
[0013]特定の例では、基地局は、決定された仮の量に従って、そのＬＴＥ論理チャネルに関連する、１つまたは複数のＷＬＡＮ送信バッファについての利用可能なデータの総量を送信することに関する、推定される全遅延と、ＬＴＥネットワークによる、そのＬＴＥ論理チャネルに関連する、１つまたは複数のＷＬＡＮ送信バッファについての利用可能なデータの総量を送信することに関する、推定される全遅延との差に基づいて、送信間隔の間に、そのＬＴＥ論理チャネルに関するＷＬＡＮネットワークとＬＴＥネットワークとの間の優先順位付けを決定し得る。
【００１４】
[0014]特定の例では、基地局は、そのＬＴＥ論理チャネルに関連する１つまたは複数のＷＬＡＮ送信バッファに仮の量のダウンリンクデータを追加するという決定に応答して、送信間隔の間、ダウンリンクＬＴＥリソースが、そのＬＴＥ論理チャネルを実装するＵＥについて現在スケジュールされているかどうかを決定し得る。ダウンリンクＬＴＥリソースがＵＥについて現在スケジュールされているという決定に基づき、基地局は、仮のＬＴＥダウンリンクリソース割り当てを更新し得る。
【００１５】
[0015]特定の例では、基地局は、ＵＥのそれぞれによって実装されるＬＴＥ論理チャネルの各々について１つまたは複数のＷＬＡＮ送信バッファに決定された量のダウンリンクデータを追加し、そして、１つまたは複数のＷＬＡＮ送信バッファにダウンリンクデータの第１の部分を追加した後に、１つまたは複数のＷＬＡＮ送信バッファ内のデータの現在の量に関連するリソースの推定される量が、しきい値未満であると決定し得る。その後、基地局は、決定された優先順位によって定められる順序で、ＵＥの各々によって実装されるＬＴＥ論理チャネルの各々について１つまたは複数のＷＬＡＮ送信バッファに追加すべきダウンリンクデータの新たな量を決定し得る。
【００１６】
[0016]第２の例示的な構成によれば、基地局は、ＬＴＥリンクを通じて通信するように構成された第１の無線機と、ＷＬＡＮリンクを通じて通信するように構成された第２の無線機と、第１の無線機及び第２の無線機を制御するように動作する、ダウンリンク（ＤＬ）送信のためのデータを決定するように構成されたスケジューラモジュールとを含み得る。スケジューラモジュールはさらに、複数のＵＥがＬＴＥリンク及びＷＬＡＮリンクで基地局によってサーブされるときに、送信間隔の間にデータを送信するためのリソースを共同で割り当てるように構成され得る。一例によれば、リソースの共同割り当ては、リンク毎に、ＬＴＥ及びＷＬＡＮリンクにおけるＤＬ送信のためのデータの複数の部分を優先順位付けすることと、基地局のアグリゲーティング層から共同で割り当てられたリソースに基づくＤＬ送信のためのパケットを要求することとを含み得る。スケジューラモジュールは、ＬＴＥリンクおよびＷＬＡＮリンクそれぞれにおける送信のために、第１の無線機及び第２の無線機にアグリゲーティング層によって生成されたパケットを送るように、さらに構成され得る。
【００１７】
[0017]特定の例では、第２の例示的な構成の基地局、特にスケジューラモジュールは、第１の例示的な構成の方法に関して上述した機能の１つまたは複数の態様を実装するように構成され得る。
【００１８】
[0018]第３の例示的な構成によれば、ダウンリンク送信を管理する基地局装置が、送信間隔の間のＬＴＥリンク及びＷＬＡＮリンクのうちの１つまたは複数におけるダウンリンクデータ送信のために複数のユーザ機器（ＵＥ）を基地局によって決定する手段と、ダウンリンク（ＤＬ）送信のためのデータを決定する手段と、ＵＥがＬＴＥリンク及びＷＬＡＮリンクのうちの１つまたは複数でサーブされるときにデータを送信するためのリソースを共同で割り当てる手段とを含み得る。特定の例では、リソースを共同で割り当てる手段は、リンク毎にＬＴＥリンク及びＷＬＡＮリンクのそれぞれにおけるＤＬ送信のためのデータの複数の部分に優先順位付けする手段と、基地局のアグリゲーティング層からの共同で割り当てられたリソースに基づいてＤＬ送信のためのパケットを要求する手段とを含み得る。基地局装置はまた、送信間隔の間に、少なくともＵＥのサブセットに、アグリゲーティング層から受信されたパケットを送信する手段を含み得る。
【００１９】
[0019]特定の例では、第３の例示的な構成の基地局は、第１の例示的な構成の方法に関して上述した機能の１つまたは複数の態様を実装する手段を含み得る。
【００２０】
[0020]第４の例示的な構成によれば、コンピュータプログラム製品が、コンピュータ可読プログラムコードを記憶した非一時的コンピュータ可読媒体を含み得る。コンピュータ可読プログラムコードは、少なくとも１つのプロセッサに、ＬＴＥリンク及びＷＬＡＮリンクのうちの１つまたは複数におけるダウンリンクデータ送信について複数のユーザ機器（ＵＥ）を決定させるように構成されたコンピュータ可読プログラムコードと、少なくとも１つのプロセッサに、ダウンリンク（ＤＬ）送信のためのデータを決定させるように構成されたコンピュータ可読プログラムコードと、少なくとも１つのプロセッサに、ＵＥがＬＴＥリンク及びＷＬＡＮリンクのうちの１つまたは複数でサーブされるときに、送信間隔の間にデータを送信するためのリソースを共同で割り当てさせるように構成されたコンピュータ可読プログラムコードであって、少なくとも１つのプロセッサに、リンク毎にＬＴＥおよびＷＬＡＮリンクにおけるＤＬ送信のためのデータの複数の部分に優先順位付けさせるように構成されたコンピュータ可読プログラムコードと、少なくとも１つのプロセッサに、基地局のアグリゲーティング層からの共同で割り当てられたリソースに基づいてＤＬ送信のためのパケットを要求させるように構成されたコンピュータ可読プログラムコードとを含む、コンピュータ可読プログラムコードと、を含み得る。コンピュータ可読プログラムコードは、少なくとも１つのプロセッサに、送信間隔の間に少なくともＵＥのサブセットに対してアグリゲーティング層から受信されたパケットを送信させるように、さらに構成され得る。
【００２１】
[0021]特定の例では、コンピュータ可読プログラムコードは、少なくとも１つのプロセッサに、第１の例示的な構成の方法に関して上述した機能の１つまたは複数の態様を実装させるように構成された、コンピュータ可読プログラムコードを含み得る。
【００２２】
[0022]本発明の性質、及び利点のさらなる理解が、以下の図面に対する参照によって、実現され得る。添付の図では、同様の構成要素、又は特徴が、同じ参照符号を有し得る。さらに、同じタイプの様々な構成要素は、類似の構成要素を区別するダッシュ及び第２の符号を参照符号の後に付けることによって、区別され得る。第１の参照符号のみが本明細書で使用されている場合、この説明は、第２の参照符号にかかわらず、同じ第１の参照符号を有する同様の構成要素のうち、いずれに対しても適用可能である。
【図面の簡単な説明】
【００２３】
【図１】[0023]図１は、例示的なワイヤレス通信システムのブロックダイヤグラムである。
【図２】[0024]図２は、マルチプルな無線アクセス技術（ＲＡＴ）を含む、例示的なワイヤレス通信システムのブロックダイヤグラムである。
【図３】[0025]図３は、ワイヤレス通信システムにおける、例示的なダウンリンクチャネルを示す。
【図４】[0026]図４は、例示的なワイヤレス通信システムのブロックダイヤグラムである。
【図５】[0027]図５は、本開示による基地局の態様を示す図である。
【図６Ａ】[0028]図６Ａは、基地局における例示的なＷＬＡＮダウンリンクスケジューリング間隔のダイヤグラムである。
【図６Ｂ】図６Ｂは、基地局における例示的なＷＬＡＮダウンリンクスケジューリング間隔のダイヤグラムである。
【図６Ｃ】図６Ｃは、基地局における例示的なＷＬＡＮダウンリンクスケジューリング間隔のダイヤグラムである。
【図７】[0029]図７は、例示的なスケジューリング間隔におけるＷＬＡＮバッファ管理の態様を示す図である。
【図８】[0030]図８は、ＷＬＡＮバッファ管理の態様を示す図である。
【図９】[0031]図９は、例示的な基地局のブロックダイヤグラムである。
【図１０】[0032]図１０は、例示的な基地局のブロックダイヤグラムである。
【図１１】[0033]図１１は、例示的なワイヤレス通信システムのブロックダイヤグラムである。
【図１２】[0034]図１２は、基地局において実施される動作を示すフローチャートである。
【図１３】[0035]図１３は、ＬＴＥ及びＷＬＡＮリンクにおける共同リソース割り当ての例示的な方法を示す図である。
【図１４】[0036]図１４は、図１３に示される方法のさらなる詳細を示す図である。
【詳細な説明】
【００２４】
[0037]本明細書は、同時にＬＴＥワイヤレスリンク及びＷＬＡＮワイヤレスリンクを通じてマルチプルなユーザ機器（ＵＥ）と通信可能な基地局からのダウンリンク送信を管理するための、方法、システム、装置、及びコンピュータプログラム製品を開示する。開示される方法、システム、装置、及びコンピュータプログラムは、送信間隔の間に基地局のアグリゲーティング層からのダウンリンク送信のためのリソースを共同で割り当てることを提供する。無線リンク制御（ＲＬＣ）アグリゲーションの場合、ベアラに属するデータが、ＬＴＥワイヤレスリンク、ＷＬＡＮワイヤレスリンク、又は同時に両方のリンクにおいて、スケジュールされ、送信され得る。基地局は、全体的なデータスループットを増大させ、ワイヤレス通信システム全体を通じたユーザエクスペリエンスを向上させるために、チャネルの状態、バッファ、及び／又は他のＵＥの存在等に関する、基地局が入手可能な情報を使用して、ＷＬＡＮワイヤレスリンクによるダウンリンク通信を戦略的にスケジュールし得る。
【００２５】
[0038]本明細書の原理によれば、基地局は、１つまたは複数のＬＴＥワイヤレスリンク及びＷＬＡＮワイヤレスリンクによるダウンリンク送信を動的にスケジュールし得る。ＷＬＡＮワイヤレスリンクの場合、基地局は、周期的に、及び／又はイベントベースで、ダウンリンク送信をスケジュールし得る。周期的なスケジューリングの場合、ダウンリンクＷＬＡＮ送信についてのスケジューリング間隔のうちの少なくとも一部が、ＬＴＥスケジューリング間隔とアライン（align）し得る。アグリゲーションを使用することにより、ＬＴＥワイヤレスリンク及びＷＬＡＮワイヤレスリンクは、基地局がダウンリンクデータを送信するためにＬＴＥワイヤレスリンク及びＷＬＡＮワイヤレスリンクを選択的に利用し得るように、統合され得る。具体的には、基地局は、それぞれのスケジューリング間隔において、いくつかのＵＥの各々について、ＷＬＡＮワイヤレスリンク及びダウンリンクＬＴＥリソースにより送信されるべきデータの量を決定し得る。基地局は、ＬＴＥワイヤレスリンク及びＷＬＡＮリンクの共同状況（joint state）に少なくとも部分的に基づいて、ＷＬＡＮリンクを通じて送信されるべき量を決定し得る。
【００２６】
[0039]したがって、以下の説明は、例を提供するものであり、特許請求の範囲に記載の範囲、適用可能性、又は構成を限定するものではない。本開示の趣旨、及び範囲から逸脱することなく、論じられる要素の機能及び配置に変更が加えられ得る。様々な実施形態は、必要に応じて、様々な手順、又は構成要素を省略、置換、又は追加し得る。例えば、説明される方法は、説明されたものとは異なる順序で実施され、様々な工程が、追加、省略、又は組み合わされ得る。また、特定の実施形態に関して説明される特徴が、他の実施形態において、組み合わされ得る。
【００２７】
[0040]最初に図１を参照すると、ダイヤグラムが、ワイヤレス通信システム１００の一例を示す。ワイヤレス通信システム１００は、基地局１０５、通信デバイス１１５、及びコアネットワーク１３０を含み得る。基地局１０５は、通信デバイス１１５と通信するためのいくつかのセルをサポートし得、コアネットワーク１３０に結合され得る。基地局１０５は、バックホールリンク１３２を介して、コアネットワーク１３０と制御情報及び／又はユーザデータを通信し得る。いくつかの例では、基地局１０５は、有線通信リンク、又は無線通信リンクであり得るバックホールリンク１３４を通じて、直接的に又は間接的に、互いと通信し得る。ワイヤレス通信システム１００は、マルチプルなキャリア上の動作（異なる周波数の波形信号）をサポートし得る。マルチキャリア送信機は、マルチプルなキャリアにおいて同時に変調信号を送信することができる。例えば、各通信リンク１２５は、上述の様々な無線技術によって変調されたマルチキャリア信号であり得る。各変調信号は、異なるキャリアで送られ得、制御情報（例えば、基準信号、制御チャネル等）、オーバーヘッド情報、データ等を搬送し得る。
【００２８】
[0041]基地局１０５は、１つまたは複数の基地局アンテナを介して通信デバイス１１５とワイヤレスに通信し得る。基地局１０５のサイト（sites）の各々は、それぞれの地理的エリア１１０に通信カバレッジを提供し得る。いくつかの例では、基地局１０５は、トランシーバ基地局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、又は他の何らかの適切な用語で称され得る。基地局の地理的カバレッジエリア１１０は、カバレッジエリア（不図示）の一部のみを構成するセクタに分割され得る。ワイヤレスシステム１００は、異なるタイプの基地局１０５（例えば、マクロ基地局、ミクロ基地局、及び／又はピコ基地局）を含み得る。異なる技術についての、重複するカバレッジエリアが存在し得る。
【００２９】
[0042]例では、ワイヤレス通信システム１００は、ＬＴＥ／ＬＴＥ−Ａネットワークであり得る。ＬＴＥ／ＬＴＥ−Ａネットワークでは、発展型ノードＢ（ｅＮＢ）及びユーザ機器（ＵＥ）という用語は、一般に、それぞれ、基地局１０５及び通信デバイス１１５を説明するために使用され得る。ワイヤレス通信システム１００は、異なるタイプのｅＮＢが様々な地理的領域にカバレッジを提供する、異種ＬＴＥ／ＬＴＥ−Ａネットワークであり得る。例えば、各ｅＮＢ１０５は、マクロセル、ピコセル、フェムトセル、及び／又は他のタイプのセル若しくは電力分類として動作し得る。マクロセルは、一般に、比較的大きな地理的エリア（例えば、半径数キロメートル）をカバーし、ネットワークプロバイダのサービスに加入済みのＵＥによる、無制限のアクセスを許可し得る。ピコセルは、一般に、比較的小さな地理的エリアをカバーし、ネットワークプロバイダのサービスに加入済みのＵＥによる、無制限のアクセスを許可し得る。フェムトセルはまた、一般に、比較的小さな地理的エリア（例えば、住宅）をカバーし、フェムトセルとの関連を有するＵＥ（例えば、クローズド加入者グループ（ＣＳＧ）のＵＥ、住宅内のユーザ用のＵＥ等）に対する制限されたアクセス、オープンアクセス、又はハイブリッドアクセスを提供し得る。マクロセル向けのｅＮＢは、マクロｅＮＢと称され得る。ピコセル向けのｅＮＢは、ピコｅＮＢと称され得る。そして、フェムトセル向けのｅＮＢは、フェムトｅＮＢ、又はホームｅＮＢと称され得る。ｅＮＢは、１つ、又はマルチプルな（例えば、２つ、３つ、４つ等の）セルをサポートし得る。
【００３０】
[0043]コアネットワーク１３０は、バックホール１３２（例えば、Ｓ１等）を介して、ｅＮＢ１０５と通信し得る。ｅＮＢ１０５はまた、例えば、バックホールリンク１３４（例えば、Ｘ２インターフェース等）を介して、及び／又はバックホールリンク１３２を介して（例えば、コアネットワーク１３０を通じて）、直接的、又は間接的に、互いと通信し得る。ワイヤレス通信ネットワーク１００は、同期動作又は非同期動作をサポートし得る。同期動作では、ｅＮＢ１０５は、類似のフレームタイミングを有し得、異なるｅＮＢからの送信は、時間的にほぼアラインされ得る。非同期動作では、ｅＮＢは、異なるフレームタイミングを有し得、異なるｅＮＢからの送信は、時間的にアラインされていないことがある。本明細書に説明される技法は、同期動作又は非同期動作のいずれかのために使用され得る。
【００３１】
[0044]ＵＥ１１５は、ワイヤレス通信システム１００全体に分散され、各ＵＥ１１５は、固定式又は移動式であり得る。ＵＥ１１５はまた、移動局、加入者局、移動ユニット、加入者ユニット、ワイヤレスユニット、遠隔ユニット、モバイルデバイス、ワイヤレスデバイス、通信デバイス、ワイヤレス通信デバイス、遠隔デバイス、移動加入者局、アクセス端末、移動端末、ワイヤレス端末、遠隔端末、ハンドセット、ユーザエージェント、移動クライアント、クライアント、又は他の何らかの適切な用語で、当業者から称され得る。ＵＥ１１５は、携帯電話、携帯情報端末（ＰＤＡ）、ワイヤレスモデム、ハンドヘルドデバイス、タブレットコンピュータ、ラップトップコンピュータ、コードレス電話、ワイヤレスローカルループ（ＷＬＬ）局等であり得る。ＵＥ１１５は、ワイヤレス通信システム１００の一部を形成する、マクロｅＮＢ、ピコｅＮＢ、フェムトｅＮＢ、リレー等の基地局と通信でき得る。
【００３２】
[0045]ワイヤレス通信システム１００に示される通信リンク１２５は、ＵＥ１１５から基地局１０５へのアップリンク（ＵＬ）送信、及び／又は基地局１０５からＵＥ１１５へのダウンリンク（ＤＬ）送信を含み得る。ダウンリンク送信はまた、順方向リンク送信とも呼ばれ、アップリンク送信はまた、逆方向リンク送信とも呼ばれ得る。
【００３３】
[0046]特定の例では、異種無線アクセス技術（ＲＡＴ）が、ＵＥ１１５が１つまたは複数の異なるＲＡＴを通じてコアネットワーク１３０にアクセスし得るように、ワイヤレス通信システム１００内で利用可能であり得る。例えば、ワイヤレス通信システム１００の基地局１０５は、ＬＴＥのｅＮＢと、ＷＬＡＮのアクセスポイント（ＡＰ）との両方を含み得る。特定の例では、１つまたは複数のＬＴＥのｅＮＢが、１つまたは複数のＷＬＡＮのＡＰとコロケートされ得る。例えば、マルチＲＡＴ基地局１０５は、別個のＬＴＥネットワーク及びＷＬＡＮネットワークを通じて、ＵＥ１１５と通信するために、ｅＮＢとＷＬＡＮのＡＰとの両方を実装し得る。特定の基地局１０５は、基地局１０５が、ＬＴＥネットワークとＷＬＡＮネットワークとの両方により１つまたは複数のＵＥ１１５と同時に通信することを可能にする、ＬＴＥ−ＷＬＡＮキャリア（又はリンク）アグリゲーションをサポートし得る。アグリゲーションは、基地局の特定のプロトコル層で実施され得る。本明細書に説明されるように、アグリゲーティング層とも称される基地局のシングルレイヤは、ＬＴＥ−ＷＬＡＮリンクアグリゲーションをサポートする基地局がパケットを送信するためにＲＡＴのうちの１つを選択的に利用し得るように、様々なリンク用のダウンリンクデータをアグリゲートすることを担い得、そして、例えば、それぞれのリンクの媒体アクセス制御（ＭＡＣ）要素に結合され得る。以下の図に関してより詳細に説明されるように、ＬＴＥ−ＷＬＡＮリンクアグリゲーションをサポートする基地局１０５は、周期的に又は非周期的に、ＷＬＡＮネットワーク及びＬＴＥネットワークによる送信のための、ＬＴＥベアラに属するデータをスケジュールすることが可能であり得る。例えば、ＬＴＥベアラに関係するパケットが、ＬＴＥワイヤレスネットワークに加えて、又はＬＴＥワイヤレスネットワークの代わりに、ＷＬＡＮワイヤレスネットワークによる送信用にスケジュールされ得る。
【００３４】
[0047]一例によれば、ＬＴＥとＷＬＡＮとの両方のＲＡＴをサポートする基地局１０５での、ダウンリンク送信のためのデータのスケジューリングは、動的に実施され得る。例えば、それらのうちの一部がＬＴＥワイヤレスリンクについてのスケジューリングインスタンスと一致し得る、ＷＬＡＮワイヤレスリンクのためのいくつかのスケジューリングインスタンスの各々において、基地局１０５は、ＬＴＥネットワーク及びＷＬＡＮネットワークについて別個の優先順位リストを形成し得る。基地局１０５は、ＬＴＥリソースを割り当て、優先順位リストによって定められる順序に従って、１つまたは複数のＷＬＡＮ送信バッファに入れるべきデータの量を暫定的に決定し得る。いくつかの例では、基地局１０５は、ＬＴＥネットワークとＷＬＡＮネットワークとの共同状況（joint state）に少なくとも部分的に基づいてＬＴＥとＷＬＡＮとの間の優先順位付けに従って仮の量のデータを送信するためにＬＴＥネットワークを使用するか又はＷＬＡＮネットワークを使用するかを決定し得る。
【００３５】
[0048]例えば、ＬＴＥネットワークの状況は、ＬＴＥネットワークに関するチャネル品質、ＬＴＥネットワークを通じてダウンリンクデータを送信するために基地局１０５によって使用される現在の変調方式、ダウンリンクデータに対して使用される基地局１０５による現在のコーディング方式、ＬＴＥネットワークに関連するネットワークの負荷又は輻輳、及び／又はＬＴＥネットワークのためのダウンリンクデータに関連する送信電力のうちの１つまたは複数によって決定される、ＬＴＥネットワーク上の基地局１０５の推定されるサービングデータレートを含み得る。追加的に又は代替的に、ＬＴＥネットワークの状況はまた、例えば、ダウンリンクリソースが特定のＵＥ及び／又はＬＴＥ上の対応するＬＴＥ論理チャネルについて現在スケジュールされているか否かということを含み得る。ＬＴＥネットワークの状況は、例えば、ＬＴＥネットワークについてのスケジューリングインスタンスがＷＬＡＮネットワークについての現在のスケジューリングインスタンスと一致するかどうかということをさらに含み得る。ＷＬＡＮネットワークの状況は、ＷＬＡＮインターフェースに関連するデータレート、及び／又はエラーレートを含み得る。共同状況は、前述したようなＬＴＥネットワーク及びＷＬＡＮネットワークの状況に関連するいくつかの異なる要因に基づき得、またさらに、例えば、組み合わせられたリンクに関する平均データレートを含み得る。
【００３６】
[0049]ここで図２を参照すると、ワイヤレス通信システム２００のダイヤグラムが示されている。例示的なワイヤレス通信システム２００は、ＵＥ１１５−ａ、ＬＴＥ−ＷＬＡＮ基地局１０５−ａ、発展型パケットコア（ＥＰＣ）１３０−ａ、発展型パケットデータゲートウェイ（ｅＰＤＧ）２２５、及びＩＰネットワーク２３５を含み得る。ＬＴＥ−ＷＬＡＮ基地局１０５−ａは、ＬＴＥのｅＮＢと、ＷＬＡＮのＡＰとの両方の機能を、組み合わせ、接続し得る。したがって、ＬＴＥ−ＷＬＡＮ基地局１０５−ａは、ｅＮＢ要素２０５及びＷＬＡＮのＡＰ要素２１０を含み得る。
【００３７】
[0050]ｅＮＢ要素２０５及びＷＬＡＮのＡＰ要素２１０は、異なるＲＡＴを使用して、発展型パケットコア１３０−ａへのアクセスを、ＵＥ１１５−ａに提供することが可能であり得る。具体的には、ＬＴＥ−ＷＬＡＮ基地局１０５−ａのｅＮＢ要素２０５は、ＬＴＥアクセス技術により発展型パケットコア１３０−ａへのアクセスを提供し得、ＬＴＥ−ＷＬＡＮ基地局１０５−ａのＷＬＡＮのＡＰ要素２１０は、電気電子技術者協会（ＩＥＥＥ）による８０２．１１規格によって定められたＷＬＡＮアクセス技術により、発展型パケットコア１３０−ａへのアクセスを提供し得る。
【００３８】
[0051]発展型パケットコア１３０−ａは、いくつかのモビリティ管理エンティティ／サービングゲートウェイ（ＭＭＥ／ＳＧＷ）デバイス２１５、及びいくつかのパケットデータネットワーク（ＰＤＮ）ゲートウェイ（ＰＤＮ−ＧＷ）２２０を含み得る。ＭＭＥ／ＳＧＷデバイス２１５の各々は、３ＧＰＰ団体によって標準化された発展型パケットシステム（ＥＰＳ）アーキテクチャによって定義される、モバイル管理エンティティ（ＭＭＥ）とサービングゲートウェイ（ＳＧＷ）との両方を実装し得る。代替的に、ＭＭＥ及びＳＧＷは、別個のデバイスとして実装され得る。ＭＭＥは、ＵＥ１１５−ａとＥＰＣ１３０−ａとの間のシグナリングを処理する制御ノードであり得る。一般に、ＭＭＥは、ベアラ及び接続管理を提供し得る。したがって、ＭＭＥは、アイドルモードのＵＥトラッキング及びページング、ベアラのアクティブ化及びアクティブ化解除、並びにＵＥ１１５−ａのためのＳＧＷ選択を担い得る。ＭＭＥは、さらに、ＵＥ１１５−ａを認証し、ＵＥ１１５−ａに非アクセス層（ＮＡＳ）シグナリングを実装し得る。全ユーザＩＰパケットが、ＰＤＮ−ＧＷ２２０に接続され得る、サービングゲートウェイを通じて、転送され得る。ＳＧＷは、ユーザプレーンに存在し、ｅＮＢ間のハンドオーバ、及び異なるアクセス技術間のハンドオーバのための、モビリティアンカとして作用し得る。
【００３９】
[0052]ＰＤＮ−ＧＷ２２０は、ＩＰネットワーク２３５など、１つまたは複数の外部パケットデータネットワーク（ＰＤＮ）への接続性を提供し得る。ＰＤＮ−ＧＷ２２０は、ＵＥにＩＰアドレス割り付けならびに他の機能を提供し得る。ＰＤＮ（１つ又は複数）は、インターネット、イントラネット、ＩＰマルチメディアサブシステム（ＩＭＳ）、パケット交換（ＰＳ）ストリーミングサービス（ＰＳＳ）、及び／又は他のタイプのＰＤＮを含み得る。
【００４０】
[0053]ｅＮＢ要素２０５は、ＭＭＥ／ＳＧＷと通信することにより直接に発展型パケットコア１３０−ａにアクセスし得る。ＷＬＡＮのＡＰ要素２１０は、非３ＧＰＰアクセスによって接続されたＵＥ１１５−ａとのデータ送信をセキュアなものにするように構成され得る、発展型パケットデータゲートウェイ（ｅＰＤＧ）２２５を通じて、発展型パケットコア１３０−ａにアクセスし得る。したがって、ｅＰＤＧは、ＵＥ１１５−ａに関連するＩＰｓｅｃトンネルの終端ノードとして作用し得る。
【００４１】
[0054]図２に示すように、ＵＥ１１５−ａは、ｅＮＢ要素２０５によるＬＴＥ通信リンク１２５−ａ、又はＷＬＡＮアクセスポイント要素２１０によるＷＬＡＮ通信リンク１２５−ｂのいずれかを通じて、ＥＰＣ１３０−ａ、ひいてはＩＰネットワーク２３５にアクセスし得る。特定の例では、ＬＴＥ−ＷＬＡＮ基地局１０５−ａは、ＷＬＡＮ通信リンク１２５−ｂがＬＴＥベアラと関係のあるパケットを搬送し得るように、ＬＴＥ通信リンク１２５−ａをＷＬＡＮワイヤレス通信１２５−ｂとアグリゲートし得る。ＬＴＥ−ＷＬＡＮ基地局１０５−ａは、ＥＰＣ１３０−ａと通信デバイス１１５−ａとの間の全体的なダウンリンクスループットを増大させるために、周期的に及び／又は非周期的に、ダウンリンクＷＬＡＮスケジューリングを実施し得る。このスケジューリングは、ＷＬＡＮワイヤレスリンク１２５−ｂの状況と比較した、ＬＴＥワイヤレスリンク１２５−ａの状況（例えば、輻輳、レート、変調タイプ、コーディング方式、チャネル品質、送信電力、スケジューリング等）に少なくとも部分的に基づき得る。一例によれば、スケジューリングは、ＬＴＥネットワークとＷＬＡＮネットワークとの共同状況に基づき得る。ＬＴＥ−ＷＬＡＮ基地局１０５−ａは、ＥＰＣ１３０−ａとＵＥ１１５−ａとの間のダウンリンク通信の速度又は効率を高めるために、ＷＬＡＮワイヤレスリンク１２５−ｂを通じた１つまたは複数のＬＴＥベアラに関係するパケットの送信をスケジュールし得る。
【００４２】
[0055]図３は、様々な例による、ワイヤレス通信システム１００及び／又は２００によって使用され得る通信デバイス１１５とのダウンリンク通信に関する、チャネライゼーション階層（channelization hierarchy）３００を示す。チャネライゼーション階層３００は、例えば、ＬＴＥ／Ａネットワークの、ＬＴＥ論理チャネル３１０、ダウンリンクトランスポートチャネル３２０、及びダウンリンク物理チャネル３３０の間のチャネルマッピングを示し得る。ＬＴＥ論理チャネル３１０は、制御チャネル及びトラフィックチャネルに分類され得る。論理制御チャネルは、ページング情報を運ぶダウンリンクチャネルである、ページング制御チャネル（ＰＣＣＨ）３１１と、システム制御情報をブロードキャストするためのダウンリンクチャネルである、ブロードキャスト制御チャネル（ＢＣＣＨ）３１２と、１つ又はいくつかのマルチキャストトラフィックチャネル（ＭＴＣＨ）３１７のための、マルチメディアブロードキャストマルチキャストサービス（ＭＢＭＳ）のスケジューリング情報及び制御情報を送信するために使用される、ポイントツーマルチポイントのダウンリンクチャネルである、マルチキャスト制御チャネル（ＭＣＣＨ）３１６とを含み得る。
【００４３】
[0056]一般に、無線リソース制御（ＲＲＣ）接続を確立した後、ＭＣＣＨ１１６は、ＭＢＭＳを受けるＵＥによって使用されるのみである。専用制御チャネル（ＤＣＣＨ）３１４は、ＲＲＣ接続を有するユーザ機器によって使用されるユーザ固有制御情報等の専用制御情報を送信するポイントツーポイントの双方向チャネルである、別の論理制御チャネルである。共通制御チャネル（ＣＣＣＨ）３１３はまた、ランダムアクセス情報のために使用され得る論理制御チャネルである。論理トラフィックチャネルは、ユーザ情報の転送のための、１つのユーザ機器用に専用化されたポイントツーポイントの双方向チャネルである、専用トラフィックチャネル（ＤＴＣＨ）３１５と、トラフィックデータのポイントツーマルチポイントのダウンリンク送信のために使用され得るＭＴＣＨ３１７とを含み得る。
【００４４】
[0057]様々な実施形態のいくつかに適合する通信ネットワークは、さらに、ダウンリンクトランスポートチャネル３２０を含み得る。ＤＬトランスポートチャネル３２０は、ブロードキャストチャネル（ＢＣＨ）３２２、ダウンリンク共有データチャネル（ＤＬ−ＳＣＨ）３２３、マルチキャストチャネル（ＭＣＨ）３２４、及びページングチャネル（ＰＣＨ）３２１を含み得る。
【００４５】
[0058]ダウンリンク物理チャネル３３０は、物理ブロードキャストチャネル（ＰＢＣＨ）３３２、物理制御フォーマットインジケータチャネル（ＰＣＦＩＣＨ）３３１、物理ダウンリンク制御チャネル（ＰＤＣＣＨ）３３５、物理ハイブリッドＡＲＱインジケータチャネル（ＰＨＩＣＨ）３３３、物理ダウンリンク共有チャネル（ＰＤＳＣＨ）３３４、及び物理マルチキャストチャネル（ＰＭＣＨ）３３６を含み得る。
【００４６】
[0059]図４は、例えば、ＬＴＥ−ＷＬＡＮ基地局１０５−ｂなどのネットワークノードに通信可能に結合されたマルチプルなＵＥ１１５を含む、別のワイヤレス通信システム４００のブロックダイヤグラムである。一例によれば、ＬＴＥ−ＷＬＡＮ基地局１０５−ｂは、同じネットワークノード内でＬＴＥのｅＮＢ及びＷＬＡＮのＡＰ機能をそれぞれ実装する、コロケートされたｅＮＢ要素２０５−ａ及びＷＬＡＮのＡＰ要素２１０−ａを含み得る。特定の構成では、ＬＴＥ−ＷＬＡＮ基地局１０５−ｂは、ｅＮＢ要素２０５−ａがＬＴＥ固有ＭＡＣ層に結合されたＬＴＥ固有ＰＨＹ層を有し、ＷＬＡＮのＡＰ要素２１０−ａがＷＬＡＮ固有ＭＡＣ層に結合されたＷＬＡＮ固有ＰＨＹ層を有する、プロトコルスタックを実装し得る。別個のＬＴＥ固有ＭＡＣ層及びＷＬＡＮ固有ＭＡＣ層は、中央ＬＴＥ−ＷＬＡＮスケジューラモジュール４１０がそれに関して共同優先順位付け及び分類機能を実施する、共通のＬＴＥ−ＷＬＡＮ層（例えば、ＲＬＣ層）に結合され得る。ＵＥ１１５は、ＬＴＥ通信リンク１２５−ａを通じてＬＴＥ−ＷＬＡＮ基地局１０５−ｂのｅＮＢ要素２０５−ａと、そして、ＷＬＡＮ通信リンク１２５−ｂを通じてＬＴＥ−ＷＬＡＮ基地局１０５−ｂのＷＬＡＮのＡＰ要素２１０−ａと通信し得る。図４のシステム４００は、既出の図を参照して以上に説明された、システム及びネットワーク１００、２００のうちの１つ以上の例であり得る。
【００４７】
[0060]中央ＬＴＥ−ＷＬＡＮスケジューラモジュール４１０は、ＬＴＥ通信リンク１２５−ａ及び／又はＷＬＡＮ通信リンク１２５−ｂを通じて、基地局の共通の（すなわち、アグリゲーティング）層からＬＴＥ論理チャネル及びベアラと関係するダウンリンクパケットを送信するかどうかを決定し得る。前述したように、中央ＬＴＥ−ＷＬＡＮスケジューラモジュール４１０は、同時にＬＴＥ通信リンク１２５−ａとＷＬＡＮ通信リンク１２５−ｂとの両方によるＬＴＥベアラのためのパケットの送信を共同でスケジュールし得る。
【００４８】
[0061]中央ＬＴＥ−ＷＬＡＮスケジューラモジュール４１０は、複数のスケジューリング間隔の各々において、ＵＥ１１５のためのダウンリンクスケジューリングを実施し得る。スケジューリング間隔は、周期的か、非周期的か、又はその両方であり得る。特に、中央ＬＴＥ−ＷＬＡＮスケジューラモジュール４１０は、各スケジューリング間隔においてスケジュールされるべきＵＥの各ダウンリンクＬＴＥ論理チャネルについての優先順位リストを形成し得る。例えば、優先順位リストは、スケジュールされるべきＵＥに基づく順序付け（ordering）、及びスケジューリングされるべきＵＥのそれぞれのＬＴＥ論理チャネルに関連するサービス品質（ＱｏＳ）を含み得る。ＬＴＥに関するスケジューリング間隔が、ＷＬＡＮに関するスケジューリング間隔と一致する例では、別個の優先順位リストが、ＬＴＥ及びＷＬＡＮについて形成され得、これらの別個のリストが、単一の優先順位リストへと組み合わされ得る。
【００４９】
[0062]優先順位リストによれば、中央ＬＴＥ−ＷＬＡＮスケジューラモジュール４１０は、優先順位リストのＬＴＥ論理チャネルとＵＥとの組み合わせの各々について、ＷＬＡＮ送信バッファに入れるべきデータの仮の量を決定し、その後、そのＬＴＥ論理チャネルとＵＥとの組み合わせについて決定されたＷＬＡＮとＬＴＥとの間の優先順位付けに従って、ＷＬＡＮ送信バッファに、この仮の量を実際に入れるべきかどうかを決定し得る。優先順位付けは、そのＬＴＥ論理チャネルおよびＵＥに関連づけられた、ＬＴＥ通信リンク１２５−ａの状況及び／又はＷＬＡＮ通信リンク１２５−ｂの状況に少なくとも部分的に基づき得る。
【００５０】
[0063]ＬＴＥ−ＷＬＡＮ基地局１０５−ｂに中央ＬＴＥ−ＷＬＡＮスケジューラモジュール４１０を設けることにより、ＵＥに対するＬＴＥベアラのダウンリンク送信のための、ＬＴＥおよびＷＬＡＮ通信リンク１２５の両方の使用が可能になり得る。一例によれば、ベアラデータは、ＲＬＣ層においてＲＬＣサービスデータユニット（ＳＤＵ）に変換され得、ＲＬＣ  ＳＤＵは、２つのＭＡＣ層における利用可能な送信機会、及び中央ＬＴＥ−ＷＬＡＮスケジューラモジュール４１０のスケジューリング決定に基づいて、ＬＴＥ又はＷＬＡＮのＭＡＣ層に届けるために、ＲＬＣプロトコルデータユニット（ＰＤＵ）に多重化され得る。ＬＴＥ−ＷＬＡＮ基地局１０５−ｂは、ＬＴＥアクセスネットワーク及びＷＬＡＮアクセスネットワークのうちの１つ又は両方における、チャネルの状態、バッファ、及び他のＵＥの存在についての情報を有し得る。したがって、ＬＴＥ−ＷＬＡＮ基地局１０５−ｂは、全体的なシステムスループット及びフェアネスが最大化されるように、ダウンリンク送信を最適化することが可能であり得る。
【００５１】
[0064]ＬＴＥ−ＷＬＡＮ基地局１０５−ｂのＷＬＡＮ送信バッファにプッシュされたデータの増分は、通信リンク１２５の変化する状態への迅速な調整を可能にするのに十分小さいものであり得る。例えば、通信リンク１２５のうちの１つがチャネル品質又はスループットにおいて改善すると、より多くのデータが（例えば、ＬＴＥ通信リンク１２５−ａのうちの１つについて基地局１０５−ｂにおいてより多くのダウンリンクリソースを許可することによって、又はＷＬＡＮ通信リンク１２５−ｂのうちの１つによる送信のためにＷＬＡＮ送信バッファにより多くのダウンリンクデータをプッシュすることによって）、その通信リンク１２５を通じてプッシュされ得る。したがって、各通信リンク１２５の利用は、その通信リンク１２５の相対的な品質に基づき得る。両方の通信リンク１２５の品質に基づいて各通信リンク１２５の利用を最適化することによって、基地局１０５−ｂは、ＵＥへのダウンリンク通信について、増大したスループットを得ることができる。追加的に、基地局１０５−ｂは、品質の悪いＷＬＡＮ通信リンク１２５−ｂへのデータのトラッピングを回避し得る。例えば、ＷＬＡＮ通信リンク１２５−ｂのうちの１つが悪くなると、基地局のそのＷＬＡＮ通信リンク１２５−ｂについてのＷＬＡＮ送信バッファへのデータフローが、状態が改善するまで低下し得る。
【００５２】
[0065]図５は、既出の図を参照して以上に説明された、ＬＴＥ−ＷＬＡＮ基地局１０５−ａ又は１０５−ｂのうちの１つまたは複数など、ＬＴＥ−ＷＬＡＮ基地局によって実装される、アグリゲーティング層５０５、中央ＬＴＥ−ＷＬＡＮスケジューラモジュール４１０−ａ、ＬＴＥのＭＡＣ層５１５、及びＷＬＡＮのＭＡＣ層５２５の間の例示的な相互作用のブロックダイヤグラム５００である。一例によれば、アグリゲーティング層５０５は、マルチキャリア動作をサポートする、ＬＴＥのＭＡＣ層５１５とＷＬＡＮのＭＡＣ層５２５との両方に、プロトコルスタックの上位のネットワーク層及びアプリケーション層からプロトコルデータユニット（ＰＤＵ）又はパケットを供給する、ＲＬＣ層であり得る。代替的に、アグリゲーティング層は、ＰＤＣＰ層であり得る。
【００５３】
[0066]この例では、中央ＬＴＥ−ＷＬＡＮスケジューラモジュール４１０−ａは、キューサイズレポートを要求し、受け取るために、アグリゲーティング層５０５とインターフェースし得る。キューサイズレポートは、基地局から、該基地局と通信する１つまたは複数のＵＥに送信される準備ができているダウンリンクデータの量を示し得る。データは、異なる論理チャネルに関連付けられ得、該論理チャネルは、ベアラに関連付けられ得る。
【００５４】
[0067]中央ＬＴＥ−ＷＬＡＮスケジューラモジュール４１０−ａのＬＴＥ優先順位付けモジュール５３０は、ＬＴＥ固有プロポーショナルフェアネス計算（LTE-specific proportional fairness calculation）に従って、ＵＥについて、ＬＴＥ送信の優先順位を決定し得る。同様に、ＷＬＡＮ優先順位付けモジュール５４５は、ＬＴＥ固有プロポーショナルフェアネス計算に従って、ＵＥについて、ＷＬＡＮ送信の優先順位を決定し得る。一例によれば、優先順位付けは、より高いスケジューリング優先順位レベルを有する論理チャネルに厳しい優先順位（strict priority）を与えることと、同じスケジューリング優先順位レベルを有する論理チャネルのためにプロポーショナルフェア（proportional fair）アルゴリズムを使用することとを含み得る。
【００５５】
[0068]中央ＬＴＥ−ＷＬＡＮスケジューラモジュール４１０−ａのＬＴＥリソース割り当てモジュール５３５及びＷＬＡＮリソース割り当てモジュール５５０は、ＬＴＥ優先順位付けモジュール５３０及びＷＬＡＮ優先順位付けモジュール５４５のそれぞれによって生成された優先順位リストに基づいて、ＬＴＥ論理チャネルを通じて送信されるべきダウンリンクデータの別個の部分に対してＬＴＥリソース及びＷＬＡＮリソースを選択し、割り当て得る。中央ＬＴＥ−ＷＬＡＮスケジューラモジュール４１０−ａのＬＴＥパケット要求モジュール５４０及びＷＬＡＮパケット要求モジュール５５５は、アグリゲーティング層５０５からのダウンリンクパケットを選択的に要求し得る。一実装形態では、ダウンリンクパケットに関する要求は、ＬＴＥ送信及び／又はＷＬＡＮ送信のために意図されたアグリゲーティング層でのパケット構築をトリガし得る。その後、ＬＴＥパケット要求モジュール及びＷＬＡＮパケット要求モジュールは、各ダウンリンクパケットに関連するＬＴＥ論理チャネル及びＵＥの決定された優先順位と、各ＬＴＥ論理チャネル及びＵＥに関するＬＴＥワイヤレスリンクとＷＬＡＮワイヤレスリンクとの間の決定された優先順位とに基づいて、それぞれ、ＬＴＥのＭＡＣ層５１５及びＷＬＡＮのＭＡＣ層５２５に、受信されたダウンリンクパケットをプッシュし得る。これらの決定された優先順位のうちの１つまたは複数は、ＬＴＥのＭＡＣ層５１５から受信されたチャネル品質レポート、並びにＷＬＡＮのＭＡＣ層５２５から受信されたチャネル品質及びバッファステータスレポートに少なくとも部分的に基づき得る。
【００５６】
[0069]前述したように、スケジューリングは、ＬＴＥダウンリンク送信についてのスケジューリング間隔が周期的（例えば、１ミリ秒毎）に発生し、ＷＬＡＮのダウンリンク送信についてのスケジューリング間隔が周期的に及び／又は非周期的に発生する、動的なプロセスである。少なくとも時々は、共同処理を可能にするために、ＬＴＥダウンリンクスケジューリング間隔及びＷＬＡＮダウンリンクスケジューリング間隔を結び付けることが望ましくあり得る。一例によれば、ダウンリンクスケジューリング間隔を結び付けることは、ＬＴＥスケジューリング時間インスタンスが到来するまで、ＷＬＡＮスケジューリングを延期することによって達成され得る。いくつかのインスタンスでは、トリガベースのＷＬＡＮの機能は、一般にＬＴＥタイムラインから独立していると考えられ、また、例えば、ＷＬＡＮリンク上におけるバッファアンダーフローの可能性を防ぐために重複するスケジューリングに追加され得る。周期的な結合動作中、いくつかの重複する周期的なダウンリンクスケジューリング間隔の各々において、中央ＬＴＥ−ＷＬＡＮスケジューラモジュール４１０−ａは、共同リソース割り当てを実施し得、この際、複数のＬＴＥ論理チャネル及びＵＥの各々に関して、どのくらい多くのデータがＷＬＡＮのＭＡＣ層５２５の対応する送信バッファにプッシュされるべきかが決定される。
【００５７】
[0070]ここで図６Ａ〜図６Ｃを参照すると、図５の中央ＬＴＥ−ＷＬＡＮスケジューラモジュール４１０−ａによって使用され得るＷＬＡＮスケジューリング間隔の様々な例が示されている。これらの例では、ｘ軸は時間を表し、ｙ軸は、図５のＷＬＡＮのＭＡＣ層５２５の送信バッファの中身を表し、プロット６０５は、時間の経過に対する送信バッファの中身を表す。
【００５８】
[0071]図６Ａの例では、ＷＬＡＮダウンリンクスケジューリング間隔は、ＷＬＡＮダウンリンクスケジューリングが、送信バッファの状況に関係なく、設定された間隔期間の満了時に実施され得るような、周期的なものであり得る。図６Ｂの例では、ＷＬＡＮダウンリンクスケジューリング間隔は、ＷＬＡＮダウンリンクスケジューリングが、各ＷＬＡＮダウンリンク期間の満了の際と、加えて、ＷＬＡＮ送信バッファの中身がしきい値まで低下又はしきい値未満に低下したときにはいつでも起こるような、周期的かつしきい値若しくはイベントベースのものであり得る。図６Ｃの例では、ＷＬＡＮダウンリンクスケジューリング間隔は、ＷＬＡＮダウンリンクスケジューリングが、ＷＬＡＮ送信バッファの中身がしきい値（この例ではゼロ）に低下したときにはいつでも起こるような、厳密にしきい値又はイベントベースのものであり得る。
【００５９】
[0072]ここで、図５に戻って、既出の図を参照して以上に説明された基地局１０５−ａ又は１０５−ｂ等のＬＴＥ−ＷＬＡＮ基地局の中央ＬＴＥ−ＷＬＡＮスケジューラモジュール４１０−ａの動作について、より詳細に説明する。中央ＬＴＥ−ＷＬＡＮスケジューラモジュール４１０−ａのＷＬＡＮリソース割り当てモジュール５５０によって実施されるリソース割り当ては、ＷＬＡＮ通信リンクの（負荷を含む）現在のチャネルの状態と、前のスケジューリングインスタンスからの残りのＷＬＡＮ送信バッファサイズ（即ち、前のスケジューリングインスタンスでＷＬＡＮ送信バッファから送信されなかったデータ）とに基づいて、優先順位付けされた順序に従って、各ＬＴＥ論理チャネル及び各ＵＥについて、ＷＬＡＮのＭＡＣ層５２５の１つまたは複数のＷＬＡＮ送信バッファに置くべきデータの仮の量を決定し得る。ＷＬＡＮ送信バッファに置くべきデータの仮の量を決定すると、その後、中央ＬＴＥ−ＷＬＡＮスケジューラモジュール４１０−ａは、ＬＴＥワイヤレスリンク及びＷＬＡＮワイヤレスリンクの状態に基づいて、ＷＬＡＮ送信のための仮の量のデータの任意のものをスケジュールするかどうかを決定し得る。一例では、この決定は、ＬＴＥワイヤレスリンクおよびＷＬＡＮワイヤレスリンクの共同状況に基づき得る。
【００６０】
[0073]一実装形態によれば、各スケジューリング間隔で、中央ＬＴＥ−ＷＬＡＮスケジューラモジュール４１０−ａは、はじめに個々のＵＥのための個々のＬＴＥ論理チャネルの優先順位付けを実施し、１つまたは複数のダウンリンク優先順位リストを形成し得る。スケジューリング間隔がＬＴＥスケジューリング窓と対応する場合、ＬＴＥスケジューリングに関する優先順位リストは、ＬＴＥ優先順位付けモジュール５３０により、ＬＴＥ優先順位メトリックに基づいて決定され得る。スケジューリング間隔がＷＬＡＮスケジューリング窓と対応する場合、ＷＬＡＮスケジューリングに関するプロポーショナルフェアリストは、ＷＬＡＮ優先順位付けモジュール５４５により、ＷＬＡＮ優先順位メトリックに基づいて決定され得る。スケジューリング間隔が、ＬＴＥスケジューリング窓とＷＬＡＮスケジューリング窓との両方に対応するインスタンスでは、はじめにＬＴＥ及びＷＬＡＮの両方のために別個のＬＴＥリスト及びＷＬＡＮリストが決定され、続いて、後述するいくつかの方法のうちの１つを使用して優先順位メトリックに従って順序付けられた単一の優先順位リストを形成するように組み合わされ得る。
【００６１】
[0074]特定の例では、ユーザ間の優先順位付けは、以下のように、所与のＵＥｉ、ＬＴＥ論理チャネルｊ、及び所与のＲＡＴ（即ち、ＬＴＥ又はＷＬＡＮ）に関する、優先順位メトリックＰＭを計算することによって決定され得る：
【数１】
2016521071.tif 000003
ここで、Ｒmax,iは、ＵＥｉに関するそのＲＡＴのチャネル品質によって決定される、サポート可能な変調およびコーディング方式（ＭＣＳ）に基づく、そのＲＡＴに関する要求されるデータレートであり、
【数２】
2016521071.tif 000004
は、両方のＲＡＴを通じたＬＴＥ論理チャネルｊについてＵＥｉにサーブされるデータの平均レートであり、
【数３】
2016521071.tif 000005
は、ＵＥｉにおける、ＬＴＥ論理チャネルｊのサービス品質（ＱｏＳ）要求に関連する遅延デッドラインであり、
【数４】
2016521071.tif 000006
は、現在のヘッドオブライン遅延デッドラインであり、δは、スケジューリングメトリック指数であり、ε及びρは、ゼロによる除算を回避するための小さな数である。
【００６２】
[0075]前述したように、別個の優先順位リストが、ＬＴＥ及びＷＬＡＮのために、それらのそれぞれのスケジューリングインスタンスにおいて決定され得る。各ＲＡＴのためのＰＭを決定するために使用されるパラメータは、そのＬＴＥ論理チャネルおよびＵＥについてＬＴＥおよびＷＬＡＮの両方で観察される平均データレートを表し得る、
【数５】
2016521071.tif 000007
以外は、ＲＡＴ固有であり得る。両方のＲＡＴ上の平均データレートに関する共通の用語の使用により、観察されるサービス全体を捉え、両方のＲＡＴをまたぐＵＥレベルでのフェアネス制御を提供し得る。
【数６】
2016521071.tif 000008
は、以下のように計算され得る。
【数７】
2016521071.tif 000009
ここで、
【数８】
2016521071.tif 000010
であり、
【数９】
2016521071.tif 000011
及び
【数１０】
2016521071.tif 000012
は、それぞれ、ＬＴＥ及びＷＬＡＮにおける新たにスケジュールされたデータレートであり、αｊはフィルタ係数である。特定のスケジューリングインスタンスでのＷＬＡＮ送信のためのスケジューリングは、可能性のあるＷＬＡＮ送信の単なる推定であり得るので、
【数１１】
2016521071.tif 000013
は、基地局１０５では明示的に知られていないことがある。したがって、
【数１２】
2016521071.tif 000014
は、以下のように、対応するスケジューリング窓（Ｔsch）における送信のためのＬＴＥ論理チャネルｊ及びＵＥｉに関連するＷＬＡＮバッファに置かれたデータ
【数１３】
2016521071.tif 000015
の量に基づいて、基地局１０５において計算され得る：
【数１４】
2016521071.tif 000016
【００６３】
[0076]代替的には、平均レートは、両方のリンクにわたって観察される平均レートの和として計算され得る。このような場合、合成平均レートは、以下のように決定され得る：
【数１５】
2016521071.tif 000017
ここで、
【数１６】
2016521071.tif 000018
は、ＬＴＥにおけるフィルタされたレートであり、
【数１７】
2016521071.tif 000019
は、指定された（より長い）時間窓Ｔ内の、ＷＬＡＮリンクにおいて送信に成功したデータについて平均化されたデータレートであり、ここで、
【数１８】
2016521071.tif 000020
である。
【００６４】
[0077]ＬＴＥ又はＷＬＡＮのうちの１つのみのためのダウンリンク送信がスケジュールされるべきスケジューリングインスタンスでは、そのＲＡＴに関する対応する優先順位リストが形成され得、そこにおいては、各ＵＥの各ＬＴＥ論理チャネルが、そのＬＴＥ論理チャネル、ＵＥ、及びＲＡＴについて計算された優先順位メトリックＰＭに従って順序付けられ得る。ＬＴＥダウンリンク送信及びＷＬＡＮダウンリンク送信の両方がスケジュールされるべきスケジューリングインスタンスでは、優先順位リストを作成することに関する２つのアプローチが可能である。アプローチの１つでは、別個のＬＴＥ優先順位リスト及びＷＬＡＮ優先順位リストが計算され得、その２つの優先順位リストが、優先順位メトリックに従って１つの降順リストを形成するために結合され得る。その後、リソースが、結合されたリストの順序に基づいてＵＥの異なるＬＴＥ論理チャネルに割り当てられ得る。第２のアプローチでは、共同優先順位リストは、ＬＴＥリストとＷＬＡＮリストとのエントリ間で交互に入れ替わり得る。したがって、共同優先順位リストは、ＬＴＥ優先順位リストにおける１番目のＬＴＥ論理チャネル及びＵＥから始まり、次いで、ＷＬＡＮリストにおける１番目のＬＴＥ論理チャネル及びＵＥに進み、次いで、ＬＴＥリストにおける２番目のＬＴＥ論理チャネル及びＵＥに進む、などであり得る。
【００６５】
[0078]上述のアプローチのうちの１つによる優先順位リストの作成の後に、中央ＬＴＥ−ＷＬＡＮスケジューラモジュール４１０−ａは、優先順位リストによって定められる順序で、ＵＥに対してリソースを割り当て始め得る。
【００６６】
[0079]スケジューリングインスタンスがＬＴＥスケジューリング窓に関するスケジューリングと一致する場合、ＬＴＥダウンリンクリソースが、通常のＬＴＥスケジューリング手順に従って、ステージ１及びステージ２のスケジューリングを実施することによって割り当てられ得る。
【００６７】
[0080]ステージ１のスケジューリングは、上述の優先順位付けプロセスと重複するか、又は同時並行して実施され得る。ステージ１の暫定的なスケジューリングは、ＷＬＡＮスケジューリングの前に起こり得る。ステージ１のスケジューリング中、ユーザフロー又はＬＴＥ論理チャネルオブジェクトが、各ユーザについて作成され、その後ユーザフロー選択が行われ、これは、異種ネットワーク（ＨｅｔＮｅｔ）制約、セミパーシステントスケジューリング（ＳＰＳ）制約、及び／又は他の制約を追加することを含み得る。ユーザフロー優先順位メトリックは、次いで、アグリゲーティング層５０５からのユーザフローキューレベルの読み出しの後に計算され得、実際の物理リソースブロックのロケーションはステージ１では割り当てられないが、物理リソースブロック（ＰＲＢ）が、割り付けられ得る。
【００６８】
[0081]ＬＴＥスケジューリングのステージ２は、ＬＴＥ及びＷＬＡＮに関するスケジューリングインスタンスが一致した場合、ＷＬＡＮ割り当てとインターリーブされ得る。ステージ２の間、実際の物理リソースブロック（ＰＲＢ）割り当てが、各ＰＲＢが、リソースグリッド上にロケーションを割り当てられるように、各ＬＴＥ論理チャネルについてなされ得る。さらに、ステージ２の間、最終的なスケジュールされたオクテットカウントが、各ＬＴＥ論理チャネルフローに関して計算され得、アグリゲーティング層がＲＬＣ層である場合、適切な量のプロトコルデータユニット（ＰＤＵ）が、ＲＬＣ層から読み出され得る。ステージ２はまた、ＭＡＣのＰＤＵの構築のために実施され得る多重化およびアセンブリ機能を含み得る。さらに、ＭＡＣのＰＤＵはまた、ステージ２の間、ハードウェアに送信され得、例えばＰＲＢ使用等の層２の測定が実施され得る。
【００６９】
[0082]スケジューリングインスタンスがＷＬＡＮスケジューリング窓と一致する場合、ＷＬＡＮリソース割り当ては、ＷＬＡＮ優先順位リストに基づいて実施され得る。ＷＬＡＮリソース割り当ては、ダウンリンクＬＴＥ論理チャネルとＵＥとの組み合わせの各々について、１つまたは複数のＷＬＡＮ送信バッファに置くべきデータの量を決定することを伴い得る。この決定は、前のスケジューリングインスタンスからのＷＬＡＮ送信バッファに残されたＷＬＡＮデータ（即ち、送信されていないデータ）、チャネル品質、リソースの利用可能性、データの利用可能性、バッファ容量、及びデータ送信が提供される時間間隔を考慮に入れ得る。特に、中央ＬＴＥ−ＷＬＡＮスケジューラモジュール４１０−ａは、ＬＴＥ論理チャネル及びＵＥの各々に関して、もしあれば、ＷＬＡＮ送信バッファに入れるべきデータの仮の量を決定し、次いで、その特定のＵＥのためのＬＴＥワイヤレスリンク及びＷＬＡＮワイヤレスリンクの現在の状況に基づいてその仮の量のデータを送信するために、ＬＴＥを使用するか又はＷＬＡＮを使用するかを決定し得る。このように、中央ＬＴＥ−ＷＬＡＮスケジューラモジュール４１０−ａは、特定のシナリオにおいて、ＬＴＥ送信にもはや適さない、ＷＬＡＮバッファに送られるデータの遅延に起因する全パケット遅延の増大を回避し得る。ＷＬＡＮ送信のためのリソース割り当ての説明に役立つように、いくつかのパラメータが、まず定義される。
【００７０】
[0083]はじめに、Ｒest,iは、チャネル品質、使用されている変調・コーディング方式（ＭＣＳ）に関する推定される最大データレート、エラーレート、並びに他のＷＬＡＮアクセスポイント及びダウンリンクＷＬＡＮ送信に起因するＷＬＡＮ通信リンクにおける負荷に基づいて、ｉ番目のＵＥ（ＵＥｉ）のためのＷＬＡＮ通信リンクの推定される現在のデータレートとして定義され得る。特定の例では、ＬＴＥ−ＷＬＡＮ基地局（例えば、既出の図に示される基地局１０５−ａ又は基地局１０５−ｂ）は、異なるサービス品質（ＱｏＳ）パラメータに関連するマルチプルなＷＬＡＮ送信バッファを含み得る。したがって、Ｒestは、ＬＴＥ−ＷＬＡＮ基地局のＷＬＡＮ送信バッファの各々について定義され得る。特定の例では、Ｒest,iは、現在のチャネルの状態及び現在の変調およびコーディング方式を考慮し、ｉ番目のＵＥに関する、最大達成可能データレートＲmax,iに等しく設定され得る。追加的又は代替的に、Ｒest,iは、Ｒに設定され得る。マルチプルなＬＴＥ論理チャネルが単一のＷＬＡＮ送信バッファにマップされ得ることが理解されよう。
【００７１】
[0084]Ｂcurr,totは、所与のＱｏＳに関するすべてのＵＥにわたる、その特定のＷＬＡＮ送信バッファへのすべてのＬＴＥ論理チャネルのマッピングを考慮して、個々のＷＬＡＮ送信バッファにおける現在のサイズ又は利用として定義され得る。Ｂmax,totは、すべてのＵＥを通じて所与のＱｏＳを有する所与のＷＬＡＮ送信バッファに関する最大許容可能バッファサイズ又は利用として定義され得る。Ｂmin,totは、所与のＷＬＡＮ送信バッファに関する、最小バッファ深さしきい値、すなわち、最小送信サイズに対応する最小許容バッファサイズとして定義され得る。Ｂmax,iは、利用可能なデータの量に影響されない、ｉ番目のＵＥに関する最大バッファしきい値として定義され得る。Ｔschは、周期的なバッファ管理のための期間（即ち、スケジューリング間隔の間の時間の量）として、またさらに、各スケジューリング窓の時間期間（即ち、ダウンリンクスケジューリングが起きる時間の量）として定義され得る。特定の例では、Ｔschは、調整係数（tuning coefficient）αによって乗算され得る。Ｔdataは、ＷＬＡＮバッファ内に置くべきデータの量がそれに関して提供される、時間窓として定義され得る。ＢWLAN,iは、そのｉ番目のＵＥのＬＴＥ論理チャネルに関連するＷＬＡＮ送信バッファ内にプッシュされるべき新たなデータの量として定義され得る。Ｂavail,iは、ＱｏＳクラスあたりの所与のＬＴＥ論理チャネルについてのＵＥｉからの送信のために利用可能なデータの量を表し得る。
【００７２】
[0085]これらのパラメータが与えられると、ｉ番目のＵＥ及びｋ番目のＷＬＡＮ  ＱｏＳ送信バッファに関する推定されるデータレート
【数１９】
2016521071.tif 000021
は、以下のように計算され：
【数２０】
2016521071.tif 000022
ここで、
【数２１】
2016521071.tif 000023
であり、
【数２２】
2016521071.tif 000024
であり、ここで、
【数２３】
2016521071.tif 000025
は、推定される負荷係数であり、
【数２４】
2016521071.tif 000026
は、ｋ番目のＷＬＡＮ  ＱｏＳ送信バッファに関する時間間隔Ｔ内のすべてのＵＥにわたって送信されるデータの量であり、Ｒmax,iは、現在のチャネルの状態及び現在の変調およびコーディング方式を所与とした、ｉ番目のＵＥについての最大達成可能データレートである。代替的に、
【数２５】
2016521071.tif 000027
は、Ｒmax,iの値に設定され得る。
【００７３】
[0086]周期的なＷＬＡＮダウンリンクスケジューリングタイムラインが採用された場合、中央ＬＴＥ−ＷＬＡＮスケジューラモジュール４１０−ａは、Ｔsch間隔毎に、以下のタスクを実施し得る。ＬＴＥ及びＷＬＡＮに関するスケジューリングインスタンスが一致する場合、中央ＬＴＥ−ＷＬＡＮスケジューラモジュール４１０−ａは、共同優先順位リストにおける、ＬＴＥ論理チャネル（即ち、ＱｏＳクラス）ｊとｉ番目のＵＥの各々について、割り当てのタイプをチェックし得る。ｉ番目のＵＥ及びｊ番目のＬＴＥ論理チャネルが、ステージ１のＬＴＥ割り当てに対応する場合、ステージ２のＬＴＥの実際のリソース割り当ては、そのＵＥのそのＬＴＥ論理チャネルのために実施され得る。
【００７４】
[0087]あるいは、ｉ番目のＵＥ及びｊ番目のＬＴＥ論理チャネルは、ＷＬＡＮ割り当てに対応し、最大推定バッファ
【数２６】
2016521071.tif 000028
は、ｊ番目のＬＴＥ論理チャネルがそれにマップしているｋ番目のＷＬＡＮ  ＱｏＳ送信バッファに関して決定され得る。
【数２７】
2016521071.tif 000029
を精確に決定するために、事前にスケジュールされた任意のＵＥによって既にとられたスケジューリング窓内の時間が、はじめに以下のように更新され得る：
【数２８】
2016521071.tif 000030
【数２９】
2016521071.tif 000031
ここで、Ｔsch_takenは、より優先順位の高いＷＬＡＮ  ＱｏＳ送信バッファ及び現在のｋ番目のＷＬＡＮ  ＱｏＳ送信バッファのすべてにわたる、同じスケジューリングインスタンスにおいて既にキューイングされたＵＥに起因する遅延を表す。スケジューリングインスタンスにおける、本当に最初のスケジューリングについては、Ｔsch_takenは、
Ｔsch_taken＝ｔ-1
と設定され得る。ここで、ｔ-1は、すべてのＵＥにわたる、前のスケジューリングインスタンスから残されている、キューイングされたデータに起因する、推定される遅延である。次いで、
【数３０】
2016521071.tif 000032
が次のように決定され得る。
【数３１】
2016521071.tif 000033
ここで、αは、最大バッファ値を調整（tune）するために使用される係数を表す。特定の例では、αは、ＷＬＡＮ媒体における負荷を考慮に入れることができる。１よりも大きなαは、バッファのアンダーフローを防止し、ＡＣＫ待ち時間に起因するＷＬＡＮ送信バッファ更新における待ち時間を補償するために利用され得る、バッファサイズ過大評価をまねき得る。
【数３２】
2016521071.tif 000034
の場合、中央ＬＴＥ−ＷＬＡＮスケジューラモジュール４１０−ａは、ｋ番目のＷＬＡＮ  ＱｏＳ送信バッファが一杯であり得るので、ｋ番目のＷＬＡＮ  ＱｏＳ送信バッファにｉ番目のＵＥ及びｊ番目のＬＴＥ論理チャネルからのダウンリンクデータを入れることを控え得る。
【００７５】
[0088]図７は、本明細書に開示されるバッファ管理技法にしたがってリソースがその間にＷＬＡＮに割り当てられる、スケジューリング窓７００のダイヤグラムを示す。ダイヤグラムに示されるように、ＵＥは、データバッファリングがそれに関して提供される時間窓Ｔdata内でリソースを割り当てられ、ここで、
【数３３】
2016521071.tif 000035
は、ｋ番目のＷＬＡＮ  ＱｏＳバッファに置かれるｉ番目のＵＥのデータが、Ｔdata時間窓内を占めることになる、推定される時間を表す。図に示される特定の例では、Ｔdataは、前のスケジューリング窓からの残されたバッファによって占められる時間ｔ-1、及びＷＬＡＮ  ＱｏＳ送信バッファｋ＝１にマッピングするＵＥ０の優先順位の最も高いＬＴＥ論理チャネルについてスケジュールされた時間
【数３４】
2016521071.tif 000036
と、ＷＬＡＮ  ＱｏＳ送信バッファｋ＝１にマッピングするＵＥ１の優先順位の最も高いＬＴＥ論理チャネルについてスケジュールされた時間
【数３５】
2016521071.tif 000037
、及びＷＬＡＮ  ＱｏＳ送信バッファｋ＝２にマッピングするＵＥ０の２番目に高い優先順位のＬＴＥ論理チャネルについてスケジュールされた時間
【数３６】
2016521071.tif 000038
とにより一杯になっている。したがって、図７の例では、次に優先順位の高いＬＴＥ論理チャネルのための
【数３７】
2016521071.tif 000039
は、０に等しくなる。
【００７６】
[0089]図５の説明に戻ると、ｋ番目のＷＬＡＮ  ＱｏＳ送信バッファに関する
【数３８】
2016521071.tif 000040
が０よりも大きい場合、ｋ番目のＷＬＡＮ  ＱｏＳ送信バッファへとプッシュすべきｊ番目のＬＴＥ論理チャネルからの新たなデータの最大推定バッファサイズは、以下のように決定され得る。
【数３９】
2016521071.tif 000041
そして、
【数４０】
2016521071.tif 000042
は、以下のように、最大合計バッファしきい値
【数４１】
2016521071.tif 000043
ＷＬＡＮ  ＱｏＳ送信バッファの現在のサイズ
【数４２】
2016521071.tif 000044
及び最大推定バッファサイズ
【数４３】
2016521071.tif 000045
に基づいて制限（capped）され得る：
【数４４】
2016521071.tif 000046
値
【数４５】
2016521071.tif 000047
は、データがＷＬＡＮ  ＱｏＳ送信バッファに追加されるたびに更新され得る。制限された
【数４６】
2016521071.tif 000048
は、ＷＬＡＮ  ＱｏＳ送信バッファへとプッシュすべき、新たなデータの仮の量を表し得る。
【００７７】
[0090]
いったん
【数４７】
2016521071.tif 000049
が計算されると、中央ＬＴＥ−ＷＬＡＮスケジューラモジュール４１０−ａは、ＬＴＥ論理チャネルｊを通じたＵＥｉに対する、
【数４８】
2016521071.tif 000050
の量のデータについて、ＬＴＥとＷＬＡＮとの間の優先順位を決定し得る。この優先順位付けは、少なくともＬＴＥワイヤレスリンク及び／又はＷＬＡＮワイヤレスリンクの、現在の状況又は状態に基づき得る。中央ＬＴＥ−ＷＬＡＮスケジューラモジュール４１０−ａが、データが優先順位付けに基づいてＷＬＡＮワイヤレスリンクを通じて送信されるべきではないと決定した場合、
【数４９】
2016521071.tif 000051
の量のデータは、ＬＴＥによるダウンリンク送信のためにスケジュールされ得、フローは、優先順位リストにおける、次に優先順位の高いＵＥ及びＬＴＥ論理チャネルに進み得る。
【００７８】
[0091]中央ＬＴＥ−ＷＬＡＮスケジューラモジュール４１０−ａが、データが優先順位付けに基づいてＷＬＡＮワイヤレスリンクを通じて送信されるべきであると決定した場合、中央ＬＴＥ−ＷＬＡＮスケジューラモジュール４１０−ａは、アグリゲーティング層５０５から現在のＵＥｉ及びＬＴＥ論理チャネルｊのために、
【数５０】
2016521071.tif 000052
の量のダウンリンクデータを要求し始め、ＵＥｉが、より低い優先順位（例えば、ＵＥｑ、ここで、ｑは、ｉよりも大きい）でＬＴＥ優先順位リストに暫定的にスケジュールされているかどうかをチェックし得る。ＵＥｉが、より低い優先順位でＬＴＥ優先順位リストに暫定的にスケジュールされている場合、中央ＬＴＥ−ＷＬＡＮスケジューラモジュール４１０−ａは、（あらゆるＵＥｒについて、ここで、ｒは、ｑ以上である）ＬＴＥリストに暫定的にスケジュールされたＵＥに関するリソース割り当てを更新し得る。ＲＬＣ層５０５から受信された、現在のＵＥｉ及びＬＴＥ論理チャネルｊについての
【数５１】
2016521071.tif 000053
量のダウンリンクデータは、次いで、ＷＬＡＮのＭＡＣ層５２５において、ＷＬＡＮ  ＱｏＳ送信バッファｋに入れられ得る。フローは、優先順位リストにおける、次に優先順位が高いＵＥ、及びＬＴＥ論理チャネルに進み得る。
【００７９】
[0092]ＬＴＥとＷＬＡＮとの間の優先順位付けの使用は、ＷＬＡＮ送信バッファに送られる（即ち、ＬＴＥでの送信には適さない）データの遅延に起因する全パケット遅延の増加を回避し得る。優先順位付けは、送信されるべきデータの量が限られており、ＷＬＡＮ送信バッファが一杯になる時間期間に関する推定される遅延が、送信のために利用可能なすべてのデータを送信するための、ＬＴＥにおける予期される遅延よりも大きい場合に有益であり得る。特定の例では、ＬＴＥとＷＬＡＮとの間の優先順位付けは、以下のように、ｉ番目のＵＥ及び現在のＬＴＥ論理チャネルｊ（即ち、所与のＱｏＳクラス）に関してパラメータｄ１LTE,i、及びｄ２LTE,iをはじめに決定することによって実現され得る：
【数５２】
2016521071.tif 000054
ここで、ｄ１LTE,iは、ＷＬＡＮを使用せずにＬＴＥにおいてＵＥｉに対して現在のＬＴＥ論理チャネルｊについてすべての利用可能なダウンリンクデータを送信することに関連する推定される遅延として定義され得、ｄ２LTE,iは、ＷＬＡＮにおけるＢWLAN,iの潜在的な送信を割り引いて考えて、ＬＴＥ上でのＵＥｉに対する現在のＬＴＥ論理チャネルｊを通じた送信のために利用可能な全データを送信することに関連する推定される遅延として定義され得、ＲLTE,iは、ＬＴＥ上でのＬＴＥ論理チャネルｊを通じたＵＥｉに対する推定されるサービングデータレートとして定義され得、Ｂtot,iは、現在のＬＴＥ論理チャネルｊを通じたＵＥｉのための、（例えばアグリゲーティング層５０５における）送信のために利用可能な全データとして定義され得、ＢWLAN,iは、現在のＵＥｉ及びＬＴＥ論理チャネルｊに関連するＷＬＡＮ送信バッファへとプッシュされるべきデータの仮の量を表し得る。
【００８０】
[0093]本例では、ｄ２LTE,i＞ｔWLAN,iである場合、ここで、
【数５３】
2016521071.tif 000055
は、既にスケジュールされた優先順位がより高いＵＥ  ＬＴＥ論理チャネルに起因する、予想される遅延を表し得るが、ＬＴＥ論理チャネルｊを通じた現在のＵＥｉのためのＢWLAN,iビットは、ＵＥｉのＬＴＥ論理チャネルｊに関連するＷＬＡＮ送信バッファにプッシュされ得る。ｄ２LTE,i＜ｔWLAN,iであり、ｄ１LTE,i＜ｔWLAN,iである場合、ＢWLAN,iは、ゼロに設定されて、ＷＬＡＮ送信バッファにプッシュされる（即ち、ＷＬＡＮ送信のためにスケジュールされる）べきビットが存在せず、その代わりに、ビットのすべてが、ＬＴＥにより送信されるべきであることを示し得る。ｄ２LTE,i＜ｔWLAN,iであり、ｄ１LTE,i＜ｔWLAN,iである場合、現在のＵＥｉ及び現在のＬＴＥ論理チャネルｊに関するＢWLAN,iビットは、ＵＥｉ及びＬＴＥ論理チャネルｊに関連するＷＬＡＮ送信バッファにプッシュされ（即ち、ＷＬＡＮ用にスケジュールされ）得る。
【００８１】
[0094]上述のように、このプロセスは、優先順位の順序で、ＵＥの各々のＬＴＥ論理チャネルの各々について、繰り返され得る。したがって、ＢWLANは、問題のＷＬＡＮ  ＱｏＳ送信バッファが一杯になるまで、優先順位の順序で、ＵＥの各々のＬＴＥ論理チャネルの各々に関して決定され得る。非ゼロＢWLAN値を有するＵＥおよびＬＴＥ論理チャネルの各々について、中央ＬＴＥ−ＷＬＡＮスケジューラモジュール４１０−ａは、そのＵＥのそのＬＴＥ論理チャネルのために計算されたＢWLANに関してＬＴＥとＷＬＡＮとの間の優先順位を決定し得る。
【００８２】
[0095]図８は、説明された繰り返しプロセスの完了に続く、ＷＬＡＮ  ＱｏＳ送信バッファ８００のブロックダイヤグラムを示す。ＷＬＡＮ送信バッファ８００は、前のスケジューリング窓からの残されたデータ８０５と、そのＷＬＡＮ送信ＱｏＳバッファ８００にマッピングするＵＥ０のＬＴＥ論理チャネルからのデータ８１０と、ＷＬＡＮ送信ＱｏＳバッファ８００にマッピングするＵＥ１のＬＴＥ論理チャネルからのデータを含み得る。したがって、バッファの現在のサイズ、Ｂcurr、totは、データ８０５、データ８１０、データ８１５の組み合わせのサイズであり得る。しかし、図８に示されるように、さらなる余地８０１が、そのＷＬＡＮ  ＱｏＳ送信バッファ８００に関連する各ＵＥ  ＬＴＥ論理チャネルのためのＷＬＡＮ  ＱｏＳ送信バッファ８００にプッシュすべきデータの初期量を決定した後に、バッファ８０１に存在し得る。特定の例では、ＬＴＥ論理チャネルからＷＬＡＮ  ＱｏＳ送信バッファ８００に追加のデータをプッシュするために、さらなるステップがとられ得る。
【００８３】
[0096]例えば、図５の説明に戻ると、Ｔsch_taken＜Ｔsch＊αの場合、中央ＬＴＥ−ＷＬＡＮスケジューラモジュール４１０−ａは、Ｔsch_taken＝Ｔsch＊αになるか、又はＴsch_takenが特定のしきい値内でＴsch＊αに近付くまで、各ＵＥ  ＬＴＥ論理チャネルについてＷＬＡＮ送信バッファにプッシュすべき新たなデータの仮の量を決定するために、優先順位に従って、ＷＬＡＮ送信バッファに関連するＵＥのＬＴＥ論理チャネルを通じて再度繰り返し得る。ｉ番目のＵＥ及びｊ番目のＬＴＥ論理チャネルについてＷＬＡＮ送信バッファにプッシュすべき新たなデータの仮の量は、以下のように計算され得る：
【数５４】
2016521071.tif 000056
【００８４】
[0097]ＬＴＥ論理チャネルについて計算された新たなデータの仮の量の各々について、ＬＴＥとＷＬＡＮとの間で優先順位付けする前述のプロセスが、そのＬＴＥ論理チャネルのために計算された仮の量の新たなデータを送信するために、ＬＴＥを使用するか又はＷＬＡＮを使用するかどうかを決定するために採用され得る。中央ＬＴＥ−ＷＬＡＮスケジューラモジュール４１０−ａが、ＷＬＡＮ送信バッファに仮の量の新たなデータをプッシュすることを決定した場合、Ｔsch_takenの値が更新され、中央ＬＴＥ−ＷＬＡＮスケジューラモジュール４１０−ａは、Ｔsch_taken＝Ｔsch＊αになるまで、優先順位に従って、ＵＥのＬＴＥ論理チャネルを通じて反復し続け得る。
【００８５】
[0098]ここで図９を参照すると、例示的なＬＴＥ−ＷＬＡＮ基地局１０５−ｃのブロックダイヤグラム９００が示されている。ＬＴＥ−ＷＬＡＮ基地局１０５−ｃは、既出の図を参照して前述した基地局１０５のうちの１つまたは複数の一例であり得る。ＬＴＥ−ＷＬＡＮ基地局１０５−ｃは、ＬＴＥ無線機９０５、中央ＬＴＥ−ＷＬＡＮスケジューラモジュール４１０−ｂ、及びＷＬＡＮ無線機９１５を含み得る。これらのコンポーネントの各々は、互いに直接的又は間接的に通信し得る。図の説明はＬＴＥ及びＷＬＡＮ技術に関して提示されているが、他のＲＡＴが、これらの代わりに使用され得る。
【００８６】
[0099]図示された例では、ＬＴＥ無線機９０５は、ＬＴＥリンクを通じてマルチプルなＵＥと通信するように構成され得る。ＷＬＡＮ無線機９１５は、ＷＬＡＮリンク（単数又は複数）を通じてマルチプルなＵＥと通信するように構成され得る。中央ＬＴＥ−ＷＬＡＮスケジューラモジュール４１０−ｂは、ダウンリンク送信のためのデータを決定し、次いで、ダウンリンクデータを送信するためのリソースを共同で割り当てるように構成され得る。中央ＬＴＥ−ＷＬＡＮスケジューラモジュール４１０−ｂによる、リソースの共同割り当ては、データに関連するＬＴＥ論理チャネルに優先順位付けすることと、ＤＬ送信データのパケットに関する要求を生成することと、共同で割り当てられたリソースに基づいて基地局のアグリゲーティング層において要求されたパケットを構築することとを含み得る。ＷＬＡＮ無線機９１５は、リソースの共同割り当てに基づいて送信間隔の間にＷＬＡＮリンクを通じて少なくともＵＥのサブセットにダウンリンクデータを送信するように、さらに構成され得る。
【００８７】
[0100]特定の例では、ＵＥのそれぞれは、少なくとも１つのＬＴＥ論理チャネルに関連付けられ、中央ＬＴＥ−ＷＬＡＮスケジューラモジュール４１０−ｂは、ＵＥのそれぞれによって実装される、各ＬＴＥ論理チャネルの優先順位を決定し、決定された優先順位によって定められる順序で、ＵＥのそれぞれによって実装されたＬＴＥ論理チャネルのそれぞれについて少なくとも１つのＷＬＡＮ送信バッファに追加すべきダウンリンクデータの量を決定するように、さらに構成され得る。
【００８８】
[0101]特定の例では、中央ＬＴＥ−ＷＬＡＮスケジューラモジュール４１０−ｂは、要求されたＬＴＥデータレート、アグリゲーティング層からの平均サーブドデータレート、及び少なくとも１つのＷＬＡＮ遅延デッドラインに基づく、プロポーショナルフェアネスメトリックに従って、ＵＥの各々によって実装された各ＬＴＥ論理チャネルのＬＴＥ優先順位を決定するように、さらに構成され得る。中央ＬＴＥ−ＷＬＡＮスケジューラモジュール４１０−ｂは、各ＬＴＥ論理チャネルに割り当てられたＷＬＡＮ優先順位に従って複数のＵＥの各々によって実装されたＬＴＥ論理チャネルの順序付けを含む、ＷＬＡＮ優先順位リストを生成するように、さらに構成され得る。中央ＬＴＥ−ＷＬＡＮスケジューラモジュール４１０−ｂモジュールは、ＷＬＡＮネットワークについてのスケジューリングインスタンスがＬＴＥネットワークについてのスケジューリングインスタンスと一致すると決定し、要求されたＬＴＥデータレート、アグリゲーティング層からの平均サーブドデータレート、及び少なくとも１つのＬＴＥ遅延デッドラインに基づく、プロポーショナルフェアネスメトリックに従って、ＵＥの各々によって実装された各ＬＴＥ論理チャネルのＬＴＥ優先順位を決定し、各ＬＴＥ論理チャネルに割り当てられたＬＴＥ優先順位に従って複数のＵＥの各々によって実装されたＬＴＥ論理チャネルの順序付けを備えるＬＴＥ優先順位リストを生成し、ＬＴＥ優先順位リストとＷＬＡＮ優先順位リストとを組み合わせ、ＬＴＥ優先順位リストとＷＬＡＮ優先順位リストとの組み合わせに基づく順序でＬＴＥリンクとＷＬＡＮリンクとの間にダウンリンクデータを割り当てるように、さらに構成され得る。
【００８９】
[0102]特定の例では、中央ＬＴＥ−ＷＬＡＮスケジューラモジュール４１０−ｂは、送信間隔内の残りの量の時間と、ＷＬＡＮ送信バッファからＬＴＥ論理チャネルを実装しているＵＥへの推定されるデータ送信レートとに少なくとも部分的に基づいて、ＬＴＥ論理チャネルに関連するＷＬＡＮ送信バッファについての最大推定バッファサイズを決定するように、さらに構成され得る。中央ＬＴＥ−ＷＬＡＮスケジューラモジュール４１０−ｂは、さらに、基地局において、ＷＬＡＮ送信バッファの最大合計バッファしきい値及びＬＴＥ論理チャネルについて利用可能なダウンリンクデータの量に少なくとも部分的に基づいて、ＬＴＥ論理チャネルに関連するＷＬＡＮ送信バッファについて決定された最大推定バッファサイズに対して、上限を設定し得る。
【００９０】
[0103]特定の例では、ＬＴＥ論理チャネルの各々は、サービス品質（ＱｏＳ）クラスに関連するＷＬＡＮ送信バッファに関連付けられ得、中央ＬＴＥ−ＷＬＡＮスケジューラモジュール４１０−ｂは、決定された優先順位によって定義された順序に従って、そのＬＴＥ論理チャネルに関連するＷＬＡＮ送信バッファに入れるべき各ＬＴＥ論理チャネルからのダウンリンクデータの仮の量を決定するように、さらに構成され得る。データの仮の量は、そのＬＴＥ論理チャネルに関連するＷＬＡＮ送信バッファについての最大推定バッファサイズと、そのＬＴＥ論理チャネルのための利用可能なダウンリンクデータの量とに、少なくとも部分的に基づき得る。
【００９１】
[0104]特定の例では、中央ＬＴＥ−ＷＬＡＮスケジューラモジュール４１０−ｂは、ＬＴＥ論理チャネルのうちの１つについての仮の量がゼロよりも大きいことに応答して、送信間隔の間に、そのＬＴＥ論理チャネル、及びそのＬＴＥ論理チャネルを実装するＵＥに関する、ＬＴＥリンク及びＷＬＡＮリンクのうちの１つまたは複数の間の優先順位付けに基づいて、そのＬＴＥ論理チャネルからそのＬＴＥ論理チャネルに関連するＷＬＡＮ送信バッファに仮の量のダウンリンクデータを追加するかどうかを決定するように、さらに構成され得る。
【００９２】
[0105]中央ＬＴＥ−ＷＬＡＮスケジューラモジュール４１０−ｂは、決定された仮の量に従って、そのＬＴＥ論理チャネルに関連する、ＷＬＡＮ送信バッファについての利用可能なデータの総量を送信することに関する、推定される全遅延と、ＬＴＥネットワークによる、そのＬＴＥ論理チャネルに関連する、ＷＬＡＮ送信バッファについての利用可能なデータの総量を送信することに関する、推定される全遅延との差に基づいて、スケジューリング窓（即ち、送信間隔）中に、そのＬＴＥ論理チャネルのために、ＷＬＡＮネットワークとＬＴＥネットワークとの間の優先順位付けを決定するように構成され得る。
【００９３】
[0106]特定の例では、中央ＬＴＥ−ＷＬＡＮスケジューラモジュール４１０−ｂは、そのＬＴＥ論理チャネルに関連するＷＬＡＮ送信バッファに仮の量のダウンリンクデータを追加するという決定に応答して、送信間隔の間、ダウンリンクＬＴＥリソースがそのＬＴＥ論理チャネルを実装するＵＥのために現在スケジュールされているかどうかを決定し、ダウンリンクＬＴＥリソースがＵＥのために現在スケジュールされているという決定に基づいて仮のＵＥダウンリンクリソース割り当てを更新するように、さらに構成され得る。
【００９４】
[0107]特定の例では、中央ＬＴＥ−ＷＬＡＮスケジューラモジュール４１０−ｂは、少なくともＵＥのサブセットによって実装されるＬＴＥ論理チャネルの各々について、そのＬＴＥ論理チャネルに関連する少なくとも１つのＷＬＡＮ送信バッファに追加すべき決定された量のダウンリンクデータを備える少なくとも１つのパケットをアグリゲーティング層において構築するように、さらに構成され得る。
【００９５】
[0108]特定の例では、中央ＬＴＥ−ＷＬＡＮスケジューラモジュール４１０−ｂは、少なくともＵＥのサブセットによって実装されるＬＴＥ論理チャネルの各々について、そのＬＴＥ論理チャネルに関連する少なくとも１つのＷＬＡＮ送信バッファに決定された量のダウンリンクデータを追加するように、さらに構成され得る。
【００９６】
[0109]ここで図１０を参照すると、別の例示的なＬＴＥ−ＷＬＡＮ基地局１０５−ｄのブロックダイヤグラム１０００が示されている。ＬＴＥ−ＷＬＡＮ基地局１０５−ｄは、既出の図を参照して前述した、基地局１０５のうちの１つまたは複数の例であり得る。ＬＴＥ−ＷＬＡＮ基地局１０５−ｄは、少なくとも１つのプロセッサ１００５、メモリ１０１０、ＲＬＣモジュール１０１５、中央ＬＴＥ−ＷＬＡＮスケジューラモジュール４１０−ｃ、ＬＴＥ無線機９０５−ａ、及びＷＬＡＮ無線機９１５−ａを含み得る。これらのコンポーネントの各々は、互いに直接的又は間接的に通信し得る。特定の例では、プロセッサ１００５は、ＲＬＣモジュール１０１５、中央ＬＴＥ−ＷＬＡＮスケジューラモジュール４１０−ｃ、ＬＴＥ無線機９０５−ａ、及び／又はＷＬＡＮ無線機９１５−ａに関連する機能のうちの１つまたは複数を実行するために、メモリ１０１０に格納されたコンピュータ可読プログラムコードを実行するように構成され得る。追加的に又は代替的に、これらのコンポーネントに関連する１つまたは複数の機能が、各コンポーネントに関連する機能を実行するために配置され相互接続されたＡＳＩＣ又は他の専用ハードウェア若しくは汎用ハードウェアによって実装され得る。
【００９７】
[0110]ＬＴＥ無線機９０５−ａは、ＬＴＥワイヤレスリンクのＭＡＣネットワーク層及びＰＨＹネットワーク層を実装するように構成された、ＬＴＥ  ＭＡＣモジュール１０４５及びＬＴＥ  ＰＨＹモジュール１０５０を含み得る。同様に、ＷＬＡＮ無線機９１５−ａは、ＷＬＡＮワイヤレスリンクのＭＡＣネットワーク層及びＰＨＹネットワーク層のそれぞれを実装するように構成された、ＷＬＡＮ  ＭＡＣモジュール１０５５及びＷＬＡＮ  ＰＨＹモジュール１０６０を含み得る。ＲＬＣモジュール１０１５は、いくつかのＵＥへのダウンリンク送信のために、アプリケーション１０２０及びより上位のネットワーク層から、ＬＴＥ無線機９０５−ａ及びＷＬＡＮ無線機９１５−ａの両方にパケットを供給する、単一のＲＬＣ層を実装し得る。ＬＴＥ  ＭＡＣモジュール１０４５によって実装されるＬＴＥ  ＭＡＣ層は、ＬＴＥ  ＰＨＹ層のＬＴＥ  ＰＨＹモジュール１０５０により、ダウンリンク送信用の受信されるパケットを準備し得る。中央ＬＴＥ−ＷＬＡＮスケジューラモジュール４１０−ｃは、ＬＴＥ無線機９０５−ａ及びＷＬＡＮ無線機９１５−ａに配信するための、ＲＬＣモジュール１０１５によって実装されるＲＬＣ層からのパケットを、選択的に要求し得る。
【００９８】
[0111]中央ＬＴＥ−ＷＬＡＮスケジューラモジュール４１０−ｃは、既出の図の、中央ＬＴＥ−ＷＬＡＮスケジューラモジュール４１０のうちの１つまたは複数を参照して前述した機能を実施し得る。本例では、中央ＬＴＥ−ＷＬＡＮスケジューラモジュール４１０−ｃは、個々のＵＥのＬＴＥ論理チャネルをリソース割り当てのための優先順位リストに配置するように構成された、ＵＥ／論理チャネルダウンリンク優先順位付けモジュール１０２５と、優先順位リストに基づいてステージ１及びステージ２のＬＴＥのリソース割り当てを実施するように構成されたＬＴＥ割り当てモジュール１０３０と、優先順位リスト、並びに、所与のＵＥについてのＷＬＡＮ及びＬＴＥワイヤレスリンクのそれぞれの状況に従う、ＬＴＥとＷＬＡＮとの間の優先順位付けに基づいて、ＷＬＡＮ無線機９１５−ａの１つまたは複数のＷＬＡＮ  ＱｏＳ送信バッファにダウンリンクデータをプッシュするように構成された、ＷＬＡＮ割り当てモジュール１０３５と、ＲＬＣモジュール１０１５からのＲＬＣパケットを要求し、ＬＴＥ無線機９０５−ａ又はＷＬＡＮ無線機９１５−ａにＲＬＣパケットを選択的に向かわせるように構成された、ＲＬＣインターフェースモジュール１０４０とを含み得る。
【００９９】
[0112]図１１は、ＬＴＥ−ＷＬＡＮ基地局１０５−ｅ及びＵＥ１１５−ｄを含む、ＭＩＭＯ通信システム１１００のブロックダイヤグラムである。このシステム１１００は、図１、図２、又は図４の、システム及びネットワーク１００、２００、４００の態様を示し得る。ＬＴＥ−ＷＬＡＮ基地局１０５−ｅは、アンテナ１１３４−ａ〜１１３４−ｘを備え、ＵＥ１１５−ｄは、アンテナ１１５２−ａ〜１１５２−ｎを備え得る。システム１１００では、ＬＴＥ−ＷＬＡＮ基地局１０５−ｅは、同時にマルチプルな通信リンクを通じてデータを送信することができる。各通信リンクは、「層」と呼ばれ得、通信リンクの「ランク」は、通信のために使用される層の数を示し得る。例えば、ＬＴＥ−ＷＬＡＮ基地局１０５−ｅが、２つの「層」を送信する２ｘ２ＭＩＭＯシステムでは、ＬＴＥ−ＷＬＡＮ基地局１０５−ｅとＵＥ１１５−ｄとの間の通信リンクのランクは、２である。
【０１００】
[0113]ＬＴＥ−ＷＬＡＮ基地局１０５−ｅでは、送信プロセッサ１１２０は、データソースからデータを受信し得る。送信プロセッサ１１２０は、データを処理し得る。送信プロセッサ１１２０はまた、基準シンボル及びセル固有基準信号を生成し得る。送信（ＴＸ）ＭＩＭＯプロセッサ１１３０は、適用可能な場合、データシンボル、制御シンボル、及び／又は基準シンボルに対して、空間処理（例えば、プレコーディング）を実施し得、送信変調器１１３２−ａ〜１１３２−ｘに出力シンボルストリームを提供し得る。各変調器１１３２は、出力サンプルストリームを得るために、（例えば、ＯＦＤＭ等のための）それぞれの出力シンボルストリームを処理し得る。各変調器１１３２はさらに、ダウンリンク（ＤＬ）信号を得るために、出力サンプルストリームを処理（例えば、アナログに変換、増幅、フィルタリング、及びアップコンバート）し得る。１つの例では、変調器１１３２−ａ〜１１３２−ｘのＤＬ信号は、それぞれ、アンテナ１１３４−ａ〜アンテナ１１３４−ｘを介して送信され得る。
【０１０１】
[0114]上記の原理に従って、送信プロセッサ１１２０は、リソースの共同割り当てに基づいて少なくとも１つのＷＬＡＮ送信バッファにＬＴＥ−ＷＬＡＮ基地局１０５−ｅのアグリゲーティング層からのダウンリンクデータを追加するように構成された、中央ＬＴＥ−ＷＬＡＮスケジューラモジュール４１０−ｄを含み得る。ダウンリンクデータは、リソースの共同割り当てに従って、スケジューリング窓の間に、変調器１１５４により、スケジューリング窓の間にＷＬＡＮ無線機を通じて送信され得る。
【０１０２】
[0115]ＵＥ１１５−ｄでは、ＵＥアンテナ１１５２−ａ〜１１５２−ｎが、ＬＴＥ−ＷＬＡＮ基地局１０５−ｅからＤＬ信号を受信し得、それぞれ、復調器１１５４−ａ〜１１５４−ｎに対して、受信された信号を提供し得る。各復調器１１５４は、入力サンプルを取得するために、それぞれの受信された信号を調整（例えば、フィルタリング、増幅、ダウンコンバート、及びデジタル化）し得る。各復調器１１５４はさらに、受信されたシンボルを取得するために、（例えば、ＯＦＤＭ等のための）入力サンプルを処理し得る。ＭＩＭＯ検出器１１５６は、復調器１１５４−ａ〜１１５４−ｎのすべてから、受信されたシンボルを取得し、適用可能であれば、受信されたシンボルに対してＭＩＭＯ検出を実施し、検出されたシンボルを提供し得る。受信プロセッサ１１５８は、検出されたシンボルを処理（例えば、復調、デインターリーブ、及びデコード）し、ＵＥ１１５−ｄ用のデコードされたデータをデータ出力に提供し、デコードされた制御情報をプロセッサ１１８０及び／又はメモリ１１８２に提供し得る。
【０１０３】
[0116]アップリンク（ＵＬ）において、ＵＥ１１５−ｄでは、送信プロセッサ１１６４が、データソースからのデータを受信し、処理し得る。送信プロセッサ１１６４はまた、基準信号用の基準シンボルを生成し得る。送信プロセッサ１１６４からのシンボルは、適用可能であれば、送信ＭＩＭＯプロセッサ１１６６によってプレコードされ、（例えば、ＳＣ−ＦＤＭＡ等のために）変調器１１５４−ａ〜１１５４−ｎによってさらに処理され、かつＬＴＥ−ＷＬＡＮ基地局１０５−ａ−４から受信された送信パラメータに従って、ＬＴＥ−ＷＬＡＮ基地局１０５−ａ−４に送信され得る。
【０１０４】
[0117]ＬＴＥ−ＷＬＡＮ基地局１０５−ｅでは、ＵＥ１１５−ｄからのＵＬ信号が、アンテナ１１３４によって受信され、復調器１１３２によって処理され、適用可能であれば、ＭＩＭＯ検出器１１３６によって検出され、受信プロセッサによってさらに処理され得る。受信プロセッサ１１３８は、データ出力に、並びにプロセッサ１１４０及び／又はメモリ１１４２に、デコードされたデータを提供し得る。ＵＥ１１５−ｄのコンポーネントは、ハードウェアにおいて適用可能な機能のいくつか又はすべてを実施するように適合された、１つまたは複数の特定用途向け集積回路（ＡＳＩＣ）により、個別に又は一括して実装され得る。上述のモジュールのそれぞれは、システム１１００の動作に関連した１つまたは複数の機能を実施する手段であり得る。同様に、ＬＴＥ−ＷＬＡＮ基地局１０５−ａ−４のコンポーネントは、ハードウェアにおいて適用可能な機能のいくつか又はすべてを実施するように適合された、１つまたは複数の特定用途向け集積回路（ＡＳＩＣ）により、個別に又は一括して実装され得る。上述のコンポーネントの各々は、システム１１００の動作に関係する１つまたは複数の機能を実施する手段であり得る。
【０１０５】
[0118]様々な開示された実施形態のうちのいくつかに適応し得る通信ネットワークは、階層化されたプロトコルスタックに従って動作する、パケットベースのネットワークであり得る。例えば、ベアラ又はパケットデータコンバージェンスプロトコル（ＰＤＣＰ）層における通信は，ＩＰベースであり得る。無線リンク制御（ＲＬＣ）層は、論理チャネルを通じて通信するように、パケットセグメンテーション及びリアセンブリを実施し得る。媒体アクセス制御（ＭＡＣ）層は、優先順位の取り扱い、およびトランスポートチャネルへの論理チャネルの多重化を実施し得る。ＭＡＣ層はまた、リンク効率を改善するために、ＭＡＣ層での再送信を提供するために、ハイブリッドＡＲＱ（ＨＡＲＱ）を使用し得る。物理層では、トランスポートチャネルが、物理チャネルにマップされ得る。
【０１０６】
[0119]図１２は、ワイヤレス通信システムにおける基地局のダウンリンク送信を管理する例示的な方法１２００のフローチャートである。方法１２００は、例えば、既出の図を参照して前述した基地局１０５のうちの１つまたは複数によって実施され得る。
【０１０７】
[0120]ブロック１２０５では、基地局は、ＬＴＥリンク及びＷＬＡＮリンクのうちの１つまたは複数におけるダウンリンクデータ送信について、複数のＵＥを決定し得る。第１の無線機は、ＬＴＥリンクのうちの１つまたは複数においてデータを送信するために使用され得、第２の無線機は、ＷＬＡＮリンクのうちの１つまたは複数を通じてデータを送信するために使用され得る。１つまたは複数のＬＴＥリンク及びＷＬＡＮリンクにおけるダウンリンク送信用のデータは、基地局の共通層においてアグリゲートされ得る。ブロック１２１０では、基地局は、ダウンリンク送信用のデータを決定し得る。ブロック１２１５では、基地局は、ＬＴＥリンク及びＷＬＡＮリンクのうちの１つまたは複数によってサーブされる複数のＵＥにデータを送信するためのリソースを共同で割り当て得る。リソースの共同割り当ては、ダウンリンク送信のために決定されたデータに関連するＬＴＥ論理チャネルを優先順位付けすることと、ＤＬ送信データのパケットに関する受信された要求に応答して、基地局のアグリゲーティング層においてデータからパケットを構築することとを含み得る。ブロック１２２０では、基地局は、リソースの共同割り当てに基づいて少なくともＵＥのサブセットにデータを送信し得る。
【０１０８】
[0121]図１３は、ワイヤレス通信システムにおける基地局のダウンリンク送信を管理する、別の例示的な方法１３００のフローチャートである。方法１３００は、例えば、既出の図を参照して前述した基地局１０５のうちの１つまたは複数によって実施され得る。方法１３００は、図１２のブロック１２１５に従って基地局のアグリゲーティング層からマルチプルなＵＥにダウンリンクデータを送信するための、基地局によるリソースを共同で割り当てるプロセスの例であり得る。
【０１０９】
[0122]ブロック１３０５では、ＬＴＥ又はＷＬＡＮダウンリンクスケジューリングについてのスケジューリングインスタンスに到達する。ＬＴＥダウンリンクスケジューリングについてのスケジューリングインスタンスは、周期的（例えば、１ｍｓ毎）に起こり得る。ＷＬＡＮダウンリンクスケジューリングは、上述のように、周期的であるか、しきい値ベース若しくはイベントベースであるか、又は周期的と、しきい値ベース若しくはイベントベースとの組み合わせであり得る。ブロック１３１０では、基地局は、現在のスケジューリングインスタンスがＬＴＥについてのスケジューリングインスタンスであるかどうかを決定し得る。現在のスケジューリングインスタンスがＬＴＥスケジューリングインスタンスである場合（ブロック１３１０、Ｙｅｓ）、基地局は、ＬＴＥ優先順位リストと、マルチプルなＵＥへのダウンリンクデータのための仮の（ステージ１）ＬＴＥリソース割り当てとを決定し得る（ブロック１３１５）。ＬＴＥ優先順位リストは、上述のように、ＬＴＥ固有プロポーショナルフェアネス計算に基づき得る。ブロック１３２０では、現在のスケジューリングインスタンスがまたＷＬＡＮについてのスケジューリングインスタンスでもあるかどうかに関して、決定がなされ得る。そうでない場合（ブロック１３２０、Ｎｏ）、基地局は、マルチプルなＵＥに対するダウンリンクデータのための実際の（ステージ２）ＬＴＥリソース割り当てを実施し得（ブロック１３２５）、フローは、ブロック１３０５に戻り得る。
【０１１０】
[0123]現在のスケジューリングインスタンスが、ＷＬＡＮについてのスケジューリングインスタンスである場合（ブロック１３１０、Ｎｏ、又はブロック１３２０、Ｙｅｓ）、ブロック１３３０で、マルチプルなＵＥのためのＬＴＥ論理チャネルのＷＬＡＮ優先順位リストが決定され得る。ＷＬＡＮ優先順位リストは、上述のように、ＷＬＡＮ固有プロポーショナルフェアネス計算に基づき得る。現在のスケジューリングインスタンスがＷＬＡＮだけのためのものである例では、優先順位スケジューリングリストは、ブロック１３３０で作り出されたＷＬＡＮ優先順位リストであり得る。現在のＷＬＡＮスケジューリングインスタンスがＬＴＥスケジューリングインスタンスと一致する例では、優先順位スケジューリングリストは、ブロック１３３５において作り出される、組み合わされたＷＬＡＮおよびＬＴＥ優先順位リストであり得る。ブロック１３４０では、基地局は、優先順位スケジューリングリストを処理し始め得る。ブロック１３４５では、優先順位リストにおけるＵＥのＬＴＥ論理チャネルのすべてのためのリソースの割当てが完了したかどうか、即ち、基地局が優先順位リストの処理を完了したかどうかに関して、決定がなされ得る。そうであれば（ブロック１３４５、Ｙｅｓ）、フローは、ブロック１３０５に戻り得る。
【０１１１】
[0124]そうでない場合（ブロック１３４５、Ｎｏ）、優先順位リストにおける次のエントリがブロック１３５０で選択され得、ブロック１３５５で、優先順位リストのエントリがＷＬＡＮ割り当てタイプに対応するかどうかの決定がなされ得る。前述したように、優先順位リストの各エントリは、ＵＥ及びＬＴＥ論理チャネルのユニークなペアに関連付けられ得る。特定の例では、優先順位リストのエントリは、主にＬＴＥ論理チャネルによって、補助的にＵＥによって、順序付けられ得る。現在のエントリがＷＬＡＮ割り当てタイプではない場合（ブロック１３５５、Ｎｏ）、実際の（即ち、ステージ２）ＬＴＥリソース割り当てが、現在の優先順位リストエントリのＵＥ及びＬＴＥ論理チャネルのために実施され得、フローは、ブロック１３４５に戻り得る。そうでない場合（ブロック１３５５、Ｙｅｓ）、ＷＬＡＮ送信バッファに置くべきデータの仮の量が、ブロック１３６５において決定され得、現在の優先順位リストエントリのＵＥ及びＬＴＥ論理チャネルについて、ＷＬＡＮがＬＴＥよりも高い優先順位を有するかどうかに関して決定がなされ得る。
【０１１２】
[0125]ＬＴＥが優先権を有する場合（ブロック１３７０、Ｎｏ）、実際のＬＴＥのリソース割り当てがブロック１３６０で実施され得、フローは、ブロック１３４５に戻り得る。ＷＬＡＮが、ＬＴＥよりも高い優先順位を有する場合（ブロック１３７０、Ｙｅｓ）、１つまたは複数のＲＬＣパケットが、ブロック１３７５で、決定された仮の量のデータに関して要求され得、パケットは、ブロック１３８０で、現在の優先順位リストエントリのＬＴＥ論理チャネル及びＵＥのために、適用可能なＷＬＡＮ送信バッファに移動され得る。次いで、フローは、ブロック１３４５に戻り得る。
【０１１３】
[0126]図１４は、ワイヤレス通信システムにおける基地局のダウンリンク送信を管理する、別の例示的な方法１４００のフローチャートである。方法１４００は、例えば、既出の図を参照して前述した基地局１０５のうちの１つまたは複数によって実施され得る。方法１４００は、ＵＥの所与のＬＴＥ論理チャネルのためのＷＬＡＮ送信バッファに置くべきデータの仮の量を決定し、図１３のブロック１３６０、１３５５、１３７０、及び１３７５に従って、ＷＬＡＮがＵＥの所与のＬＴＥ論理チャネルについてＬＴＥよりも高い優先順位を有するかどうかを決定するプロセスの例であり得る。
【０１１４】
[0127]ブロック１４０５では、現在のＵＥ（ｉ）及びＬＴＥ論理チャネル（ｊ）が選択され得る。現在のＬＴＥ論理チャネル（ｊ）は、１つまたは複数の特定のＷＬＡＮ送信バッファ（ｋ）にマップし得る。ブロック１４１０では、現在のＬＴＥ論理チャネル（例えば、Ｂmax,i）に関する最大推定バッファサイズが決定され得る。ブロック１４１５では、最大推定バッファサイズは、ＬＴＥ論理チャネルｊを通じたＵＥｉへの送信に利用可能なデータの量と、ＷＬＡＮ送信バッファの最大合計バッファしきい値とに基づいて、上限が定められ得る。
【０１１５】
[0128]ブロック１４２０では、ＵＥｉのＬＴＥ論理チャネルｊのためのＷＬＡＮ送信バッファｋにプッシュするべきダウンリンクデータ（例えば、ＢWLAN,i）の仮の量が決定され得る。ブロック１４２５では、ＷＬＡＮワイヤレスリンクを通じた仮の量の潜在的な送信を割り引いて考えた、送信のための利用可能な全データに関するＬＴＥにおける推定される遅延（ｄ２LTE,i）が、優先順位がより高いＬＴＥ論理チャネルについてのＷＬＡＮ送信のために既にスケジュールされたダウンリンクデータに起因する、予想される遅延（ｔWLAN,i）よりも大きいかどうかに関して、決定がなされ得る。そうである場合（ブロック１４２５、Ｙｅｓ）、仮の量のダウンリンクデータ（例えば、ＢWLAN,i）は、ブロック１４３０においてＷＬＡＮ送信バッファｋに移動され得る。そうでない場合（ブロック１４２５、Ｎｏ）、ＷＬＡＮを使用せずに、現在のＬＴＥ論理チャネルからの送信のために利用可能な全データについてのＬＴＥにおける推定される遅延（ｄ１LTE,i）が、優先順位がより高いＵＥ  ＬＴＥ論理チャネルについてのＷＬＡＮ送信のために既にスケジュールされたダウンリンクデータに起因する予想される遅延（ｔWifi,i）よりも小さいかどうかに関して、決定がなされ得る。ｄ１LTE,iがｔWLAN,iよりも大きい場合（ブロック１４３５、Ｎｏ）、仮の量のダウンリンクデータ（例えば、ＢWLAN,i）がブロック１４３０においてＷＬＡＮ送信バッファｋへと移動され得る。そうでない場合（ブロック１４３５、Ｙｅｓ）、ブロック１４４０に従って、ダウンリンクデータは、このスケジューリング窓の間、このＬＴＥ論理チャネルとＵＥとの組み合わせについてＷＬＡＮワイヤレスリンクを通じた送信のためにスケジュールされない。
【０１１６】
[0129]ブロック１４４５では、さらなるＬＴＥ論理チャネル／ＵＥのエントリが優先順位リスト中に分析のために残っているかどうかに関して決定がなされ得る。さらなるエントリが残っている場合（ブロック１４４５、Ｙｅｓ）、フローはブロック１４０５に戻り、ここで、ＵＥの、次に優先順位が高いＬＴＥ論理チャネルが選択され得る。そうでない場合、フローはブロック１４５０に進み、ここで、基地局は次のスケジューリング間隔を待ち得る。
【０１１７】
[0130]添付の図面に関する、上に記載した詳細な説明は、例示的な実施形態を説明したものであって、実現され得る、又は特許請求の範囲内にある実施形態のみを表すものではない。本明細書を通して使用される「例示的な」という用語は、「例、事例、又は説明として役立つ」ということを意味しており、「好ましい」、又は「他の実施形態よりも有用」を意味するものではない。詳細な説明は、説明された技法の理解を提供することを目的とした、具体的な詳細を含む。しかし、これらの技法は、これらの具体的な詳細を有さなくとも実践され得る。いくつかの事例では、よく知られている構造、及びデバイスが、説明される実施形態の概念を不明確にすることを回避するために、ブロックダイヤグラムの形式で示されている。
【０１１８】
[0131]本明細書に説明される技法は、ＣＤＭＡ、ＴＤＭＡ、ＦＤＭＡ、ＯＦＤＭＡ、ＳＣ−ＦＤＭＡ、及び他のシステム等の、様々なワイヤレス通信システムに使用され得る。「システム」及び「ネットワーク」という用語は、しばしば置換可能に使用される。ＣＤＭＡシステムは、ＣＤＭＡ２０００、ユニバーサル地上無線アクセス（ＵＴＲＡ）等の、無線技術を実装し得る。ＣＤＭＡ２０００は，ＩＳ−２０００規格，ＩＳ−９５規格、及びＩＳ−８５６規格をカバーする。ＩＳ−２０００リリース０及びＡは、一般に、ＣＤＭＡ２０００  １Ｘ，１Ｘ等と称される。ＩＳ−８５６（ＴＩＡ−８５６）は、一般に、ＣＤＭＡ２０００  １ｘＥＶ−ＤＯ、高レートパケットデータ（ＨＲＰＤ）等と称される。ＵＴＲＡは、広帯域ＣＤＭＡ（ＷＣＤＭＡ（登録商標））、及びＣＤＭＡの他の変形を含む。ＴＤＭＡシステムは、グローバルシステムフォーモバイルコミュニケーションズ（ＧＳＭ（登録商標））等の無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ−ＯＦＤＭＡ等の無線技術を実装し得る。ＵＴＲＡ、及びＥ−ＵＴＲＡは、ユニバーサルモバイルテレコミュニケーションシステム（ＵＭＴＳ）の一部である。３ＧＰＰロングタームエボリューション（ＬＴＥ）、及びＬＴＥアドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、及びＧＳＭ（登録商標）は、「第３世代パートナーシップ計画」（３ＧＰＰ）という名称の団体からの文書に説明されている。ＣＤＭＡ２０００、及びＵＭＢは、「第３世代パートナーシップ計画２」（３ＧＰＰ２）という名称の団体からの文書に説明されている。本明細書に説明される技法は、上述のシステム、及び無線技術、並びに他のシステム、及び無線技術のために使用され得る。しかし、以下の説明は、例示目的で、ＬＴＥシステムを説明しており、ＬＴＥ用語が、以下の説明の多くで使用されるが、本技法は、ＬＴＥの用途以外にも適用可能である。
【０１１９】
[0132]情報及び信号が、様々な異なる技術及び技法のいずれかを使用して表され得る。例えば、上記の説明を通して参照され得るデータ、命令、コマンド、情報、信号、ビット、シンボル、及びチップが、電圧、電流、電磁波、磁場若しくは磁性粒子、光学場若しくは光学粒子、又はこれらの任意の組み合わせによって表され得る。
【０１２０】
[0133]本明細書の開示に関連して説明された様々な例示的なブロック、びモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）、若しくは他のプログラマブル論理デバイス、ディスクリートゲート、若しくはトランジスタ論理、ディスクリートハードウェアコンポーネント、又は本明細書に説明される機能を実施するように設計された、これらの任意の組み合わせを用いて、実装又は実施され得る。汎用プロセッサは、マイクロプロセッサであり得るが、代替的には、プロセッサは、いかなる従来のプロセッサ、コントローラ、マイクロコントローラ、又はステートマシンであり得る。プロセッサはまた、例えば、ＤＳＰとマイクロプロセッサとの組み合わせ、マルチプルなマイクロプロセッサの組み合わせ、ＤＳＰコアと連携する１つまたは複数のマイクロプロセッサの組み合わせ、又はいかなる他のこのような構成の組み合わせのような、演算機器の組み合わせとして、実装され得る。
【０１２１】
[0134]本明細書に説明される機能は、ハードウェア、プロセッサによって実行されるソフトウェア、ファームウェア、又はこれらの任意の組み合わせに実装され得る。プロセッサによって実行されるソフトウェアに実装される場合、機能は、コンピュータ可読媒体に、１つまたは複数の命令、又はコードとして、格納されるか、又は送信され得る。他の例、及び実装形態は、本開示、及び添付の請求項の範囲、及び趣旨内にある。例えば、ソフトウェアの性質に起因して、上述の機能は、プロセッサ、ハードウェア、ファームウェア、ハード配線、又はこれらの任意の組み合わせによって実行されるソフトウェアを使用して、実装されることが可能である。機能を実装する特徴部はまた、機能の一部が異なる物理的位置で実装されるように分散されることを含めて、様々な位置で、物理的に配置され得る。また、本明細書で使用される場合、特許請求の範囲内を含めて、「少なくとも１つの」によって前置きされる、項目のリスト内で使用されるような「又は」は、例えば、「Ａ、Ｂ、又はＣのうち、少なくとも１つ」のリストが、Ａ、又はＢ、又はＣ、又はＡＢ、又はＡＣ、又はＢＣ、又はＡＢＣ（即ち、Ａ、及びＢ、及びＣ）を意味するような、選言的なリストを示す。
【０１２２】
[0135]コンピュータ可読媒体は、ある場所から別の場所へのコンピュータプログラムの転送を容易にする任意の媒体を含む、コンピュータ記憶媒体と通信媒体との両方を含む。記憶媒体は、汎用コンピュータ又は専用コンピュータによってアクセスされることができる、いかなる利用可能な媒体でもあり得る。限定ではなく、１つの例として、コンピュータ可読媒体は、ＲＡＭ、ＲＯＭ、ＥＥＰＲＯＭ（登録商標）、ＣＤ−ＲＯＭ、若しくは他の光ディスク記憶装置、磁気ディスク記憶装置、若しくは他の磁気記憶装置、又は命令、若しくはデータ構造の形態で、所望のプログラムコード手段を搬送、若しくは格納するように使用されることが可能であり、かつ、汎用コンピュータ、若しくは専用コンピュータ、又は汎用プロセッサ、若しくは専用プロセッサによってアクセスされることが可能である、いかなる他の媒体も備えることができる。また、いかなる接続も、適切に、コンピュータ可読媒体と名付けられる。例えば、ソフトウェアが、同軸ケーブル、光ファイバケーブル、対より線、デジタル加入者線（ＤＳＬ）、又は、赤外線、無線、若しくはマイクロ波等のワイヤレス技術を使用して、ウェブサイト、サーバ、又は他の遠隔ソースから送信される場合、同軸ケーブル、光ファイバケーブル、対より線、ＤＳＬ、又は赤外線、無線、若しくはマイクロ波等のワイヤレス技術は、媒体の定義に含まれる。本明細書で使用される場合、ディスク（ｄｉｓｋ）、及びディスク（ｄｉｓｃ）は、コンパクトディスク（ｄｉｓｃ）（ＣＤ）、レーザーディスク（登録商標）（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、及びｂｌｕ−ｒａｙ（登録商標）ディスク（ｄｉｓｃ）を含み、ここでは、ディスク（ｄｉｓｃ）が、レーザを用いて、光学的にデータを再生するのに対して、ディスク（ｄｉｓｋ）は、通常、磁気的にデータを再生する。上記の組み合わせも、コンピュータ可読媒体の範囲に含まれる。
【０１２３】
[0136]本開示の上の説明は、当業者が、本開示を製造又は使用することを可能にするように提供される。本開示に対する様々な修正が、当業者には容易に明らかであり、本明細書で定義された一般原理は、本開示の趣旨又は範囲から逸脱することなく、他の変形形態に適用され得る。本開示全体を通して、「例」又は「例示的」という用語は、例又は事例を示し、記された例に対するいかなる好ましさを暗示するものでも、又は必要とするものでもない。したがって、本開示は、本明細書に説明された実施例及び設計に限定されるものではなく、本明細書に開示される原理及び新たな特徴に矛盾しない最も広い範囲を認められるべきである。
【図１】
2016521071.tif 000057
【図２】
2016521071.tif 000058
【図３】
2016521071.tif 000059
【図４】
2016521071.tif 000060
【図５】
2016521071.tif 000061
【図６Ａ】
2016521071.tif 000062
【図６Ｂ】
2016521071.tif 000063
【図６Ｃ】
2016521071.tif 000064
【図７】
2016521071.tif 000065
【図８】
2016521071.tif 000066
【図９】
2016521071.tif 000067
【図１０】
2016521071.tif 000068
【図１１】
2016521071.tif 000069
【図１２】
2016521071.tif 000070
【図１３】
2016521071.tif 000071
【図１４】
2016521071.tif 000072
【国際調査報告】
2016521071.tif 000073
2016521071.tif 000074
2016521071.tif 000075